(57)【要約】  本明細書で論じる実施形態のために記載された方法、システム、及び記憶媒体は、新たな無線技術（ＮＲ）システムのための無線リンクモニタリング（ＲＬＭ）の拡張に関し得る。他の実施形態も記載され、かつ／又は特許請求され得る。
2022502973.tif 000002
【特許請求の範囲】
【請求項１】
無線リンクモニタリング参照信号（ＲＬＭ−ＲＳ）リソースに関する構成情報を記憶するメモリと、
前記メモリに結合された処理回路であって、
前記構成情報を前記メモリから取得し、
前記構成情報に基づいて、前記ＲＬＭ−ＲＳリソースが、２つ以上の制御リソースセット（ＣＯＲＥＳＥＴ）を有する疑似コロケーション（ＱＣＬ）タイプＤのために構成されていることを判定し、
前記ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定する処理回路と、
を備える装置。
【請求項２】
前記ＰＤＣＣＨパラメータは、単一のＣＯＲＥＳＥＴに基づいて決定され、前記単一のＣＯＲＥＳＥＴは、ＰＤＣＣＨモニタリングのために前記装置によって使用される唯一のＣＯＲＥＳＥＴである、請求項１に記載の装置。
【請求項３】
前記ＰＤＣＣＨパラメータは、ＰＤＣＣＨモニタリングのために前記装置によって使用される複数のＣＯＲＥＳＥＴの中で最も低いインデックスを有するＣＯＲＥＳＥＴに基づいて決定される、請求項１に記載の装置。
【請求項４】
前記ＰＤＣＣＨパラメータは、ＰＤＣＣＨモニタリングのために前記装置によって使用される複数のＣＯＲＥＳＥＴの中で最も高いインデックスを有するＣＯＲＥＳＥＴに基づいて決定される、請求項１に記載の装置。
【請求項５】
前記ＰＤＤＣＨパラメータは、ＰＤＣＣＨモニタリングのために前記装置によって使用される複数のＣＯＲＥＳＥＴの中で最小の仮想ＰＤＣＣＨブロック誤り率（ＢＬＥＲ）を有するＣＯＲＥＳＥＴに基づいて決定される、請求項１に記載の装置。
【請求項６】
前記ＰＤＤＣＨパラメータは、ＰＤＣＣＨモニタリングのために前記装置によって使用される複数のＣＯＲＥＳＥＴの中で最大仮想ＰＤＣＣＨブロック誤り率（ＢＬＥＲ）を有するＣＯＲＥＳＥＴに基づいて決定される、請求項１に記載の装置。
【請求項７】
前記処理回路は、前記決定されたＰＤＣＣＨパラメータに基づいてＲＬＭを更に実行しようとする、請求項１〜６のいずれか一項に記載の装置。
【請求項８】
前記装置は、ユーザ機器（ＵＥ）又はその一部分である、請求項１〜６のいずれか一項に記載の装置。
【請求項９】
命令を格納した１つ以上のコンピュータ可読媒体であって、前記命令は、１つ以上のプロセッサによって実行されると、ユーザ機器（ＵＥ）に、
無線リンクモニタリング参照信号（ＲＬＭ−ＲＳ）リソースが、２つ以上の制御リソースセット（ＣＯＲＥＳＥＴ）を有する疑似コロケーション（ＱＣＬ）タイプＤのために構成されていることを判定させ、
前記ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定させ、
前記決定されたＰＤＣＣＨパラメータに基づいてＲＬＭを実行させる、１つ以上のコンピュータ可読媒体。
【請求項１０】
前記ＰＤＣＣＨパラメータは、単一のＣＯＲＥＳＥＴに基づいて決定され、前記単一のＣＯＲＥＳＥＴは、ＰＤＣＣＨモニタリングのために前記装置によって使用される唯一のＣＯＲＥＳＥＴである、請求項８に記載の１つ以上のコンピュータ可読媒体。
【請求項１１】
前記ＰＤＣＣＨパラメータは、ＰＤＣＣＨモニタリングのために前記装置によって使用される複数のＣＯＲＥＳＥＴの中で最も低いインデックスを有するＣＯＲＥＳＥＴに基づいて決定される、請求項８に記載の１つ以上のコンピュータ可読媒体。
【請求項１２】
前記ＰＤＣＣＨパラメータは、ＰＤＣＣＨモニタリングのために前記装置によって使用される複数のＣＯＲＥＳＥＴの中で最も高いインデックスを有するＣＯＲＥＳＥＴに基づいて決定される、請求項８に記載の１つ以上のコンピュータ可読媒体。
【請求項１３】
前記ＰＤＤＣＨパラメータは、ＰＤＣＣＨモニタリングのために前記装置によって使用される複数のＣＯＲＥＳＥＴの中で最小の仮想ＰＤＣＣＨブロック誤り率（ＢＬＥＲ）を有するＣＯＲＥＳＥＴに基づいて決定される、請求項８に記載の１つ以上のコンピュータ可読媒体。
【請求項１４】
前記ＰＤＤＣＨパラメータは、ＰＤＣＣＨモニタリングのために前記装置によって使用される複数のＣＯＲＥＳＥＴの中で最大の仮想ＰＤＣＣＨブロック誤り率（ＢＬＥＲ）を有するＣＯＲＥＳＥＴに基づいて決定される、請求項８に記載の１つ以上のコンピュータ可読媒体。
【請求項１５】
無線リンクモニタリング参照信号（ＲＬＭ−ＲＳ）リソースに関連付けられた情報を記憶するためのメモリと、
前記メモリに結合された処理回路であって、
ＲＬＭ−ＲＳリソースに関連付けられた情報に基づいて、前記ＲＬＭ−ＲＳリソースが、２つ以上の制御リソースセット（ＣＯＲＥＳＥＴ）を有する疑似コロケーション（ＱＣＬ）タイプＤのために構成されていると判定し、
前記ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定する、処理回路と、
を備えるユーザ機器（ＵＥ）の装置。
【請求項１６】
前記ＰＤＣＣＨパラメータは、単一のＣＯＲＥＳＥＴに基づいて決定され、前記単一のＣＯＲＥＳＥＴは、ＰＤＣＣＨモニタリングのために前記装置によって使用される唯一のＣＯＲＥＳＥＴである、請求項１５に記載の装置。
【請求項１７】
前記ＰＤＣＣＨパラメータは、ＰＤＣＣＨモニタリングのために前記装置によって使用される複数のＣＯＲＥＳＥＴの中で最も低いインデックスを有するＣＯＲＥＳＥＴに基づいて決定される、請求項１５に記載の装置。
【請求項１８】
前記ＰＤＣＣＨパラメータは、ＰＤＣＣＨモニタリングのために前記装置によって使用される複数のＣＯＲＥＳＥＴの中で最も高いインデックスを有するＣＯＲＥＳＥＴに基づいて決定される、請求項１５に記載の装置。
【請求項１９】
前記ＰＤＤＣＨパラメータは、ＰＤＣＣＨモニタリングのために前記装置によって使用される複数のＣＯＲＥＳＥＴの中で最小の仮想ＰＤＣＣＨブロック誤り率（ＢＬＥＲ）を有するＣＯＲＥＳＥＴに基づいて決定される、請求項１５に記載の装置。
【請求項２０】
前記ＰＤＤＣＨパラメータは、ＰＤＣＣＨモニタリングのための前記装置によって使用される複数のＣＯＲＥＳＥＴの中で最大の仮想ＰＤＣＣＨブロック誤り率（ＢＬＥＲ）を有するＣＯＲＥＳＥＴに基づいて決定される、請求項１５に記載の装置。
【発明の詳細な説明】
【関連出願】
【０００１】
本出願は、２０１８年１０月１０日に出願された、「ＲＡＤＩＯ  ＬＩＮＫ  ＭＯＮＩＴＯＲＩＮＧ（ＲＬＭ）ＥＮＨＡＮＣＥＭＥＮＴＳ」と題する米国仮特許出願第６２／７４４，０２２号に対する優先権を主張するものであり、参照によりその内容全体が組み込まれる。
【背景技術】
【０００２】
本明細書に記載される実施形態は、とりわけ、新たな無線技術（ＮＲ）システムのために無線リンクモニタリング（ＲＬＭ）を拡張することを目的とする。本開示の実施形態は、同期信号ブロック（ＳＳＢ）又はチャネル状態情報参照信号（ＣＳＩ−ＲＳ）を含む、様々なＲＬＭ参照信号（ＲＬＭ−ＲＳ）リソースと共に利用され得る。
【図面の簡単な説明】
【０００３】
実施形態は、添付図面と併せて以下の詳細な説明によって容易に理解されるであろう。説明を容易にするために、同様の参照番号は、同様の構造要素を示す。実施形態は、添付図面の図において、限定するためにではなく、例として示されている。
【図１】いくつかの実施形態に係る動作フロー／アルゴリズム構造の例を示す。
【図２】いくつかの実施形態に係る動作フロー／アルゴリズム構造の例を示す。
【図３】いくつかの実施形態に係る動作フロー／アルゴリズム構造の例を示す。
【図４】いくつかの実施形態に係るネットワークのシステムのアーキテクチャを示す。
【図５】いくつかの実施形態に係るデバイスの構成要素の例を示す。
【図６】いくつかの実施形態に係るベースバンド回路のインターフェースの例を示す。
【図７】いくつかの実施形態に係る、機械可読媒体又はコンピュータ可読媒体（例えば、非一時的機械可読記憶媒体）から命令を読み取り、本明細書で論じる方法論のうちのいずれか１つ以上を実行することができる構成要素を示すブロック図を示す。
【発明を実施するための形態】
【０００４】
本明細書で論じる実施形態は、新たな無線技術（ＮＲ）システムのための無線リンクモニタリング（ＲＬＭ）の拡張に関するものであり得る。他の実施形態も記載され、かつ／又は特許請求され得る。
【０００５】
以下の詳細な説明は、添付の図面を参照する。同じ参照番号が、同じ又は類似の要素を識別するために、異なる図面において使用される場合がある。以下の記載において、限定するためにではなく説明の目的上、特許請求される発明の様々な態様の完全な理解を提供するために、特定の構造、アーキテクチャ、インターフェース、技法などの具体的な詳細を説明する。しかし、特許請求される本発明の様々な態様が、これらの具体的な詳細から逸脱した他の実施例において実施され得ることは、本開示の利益を有する技術分野の当業者には明らかとなるであろう。場合によっては、本発明の説明を不必要な詳細によって不明瞭にしないように、周知のデバイス、回路、及び方法の説明は省略される。
【０００６】
当業者が一般的に用いる用語を使用して例示的な実施形態の様々な態様が説明され、研究の要旨が他の当業者に伝えられるであろう。しかし、当業者には、代替的な実施形態が、記載された態様のうち一部のみを用いて実施され得ることが明らかであろう。説明の目的上、例示の実施形態の完全な理解を提供するために、具体的な数、材料及び構成を説明する。しかし、具体的な詳細を用いずに代替的な実施形態が実施され得ることが当業者には明らかであろう。他の場合では、例示的な実施形態を不明瞭にしないために、周知の特徴は省略又は簡略化される。
【０００７】
更に、様々な動作が、例示的な実施形態を理解するために最も有用なやり方で、複数の別個の動作として順番に説明される。しかし、説明の順序は、これらの動作が必ずしも順序に依存することを意味するものとして解釈されるべきではない。特に、これらの動作は、提示の順序で実行される必要はない。
【０００８】
「様々な実施形態では」、「いくつかの実施形態では」などの語句は、同じ実施形態を指す場合、又は異なる実施形態を指す場合がある。文脈上別段に解すべき場合を除き、用語「含む（comprising）」、「有する（having）」、及び「含む（including）」という用語は同義である。語句「Ａ及び／又はＢ」は、（Ａ）、（Ｂ）、又は（Ａ及びＢ）を意味する。語句「Ａ／Ｂ」及び「Ａ又はＢ」は、語句「Ａ及び／又はＢ」と同様に、（Ａ）、（Ｂ）、又は（Ａ及びＢ）を意味する。本開示の目的のために、「Ａ及びＢのうちの少なくとも１つ」という語句は、（Ａ）、（Ｂ）、又は（Ａ及びＢ）を意味する。説明は、「実施形態では」、「実施形態（複数）では」、「いくつかの実施形態では」、及び／又は「様々な実施形態では」という語句を使用することがあり、これらはそれぞれ、同じ又は異なる実施形態のうちの１つ以上を指すことができる。また、本開示の実施形態に関連して使用される「含む（comprising）」、「含む（including）」、「有する（having）」などの用語は同義である。
【０００９】
実施形態の例は、フローチャート、フロー図、データフロー図、構造図、又はブロック図として示されるプロセスとして説明されることがある。フローチャートは、一連のプロセスとして動作を説明することがあるが、動作の多くは、並行して、一致して、又は同時に実行されてもよい。加えて、動作の順序は、並べ替えてもよい。プロセスは、その動作が完了したときに終了してもよいが、図（単数又は複数）には含まれない追加のステップを有してもよい。プロセスは、方法、関数、手順、サブルーチン、サブプログラムなどに対応し得る。プロセスが関数に対応するとき、その終了は、関数の、呼出し側関数及び／又はメイン関数への関数の戻りに対応し得る。
【００１０】
ＮＲシステムでは、ＵＥは、構成されたＲＬＭ−ＲＳリソース（単数又は複数）における参照信号に基づいて下りリンクリンク品質を監視し、サービングセルの下りリンク無線リンク品質を検出しようとする。構成されたＲＬＭ−ＲＳリソースは、全てのＳＳＢでもあってもよく、全てのＣＳＩ−ＲＳであってもよく、又はＳＳＢとＣＳＩ−ＲＳの混合であってもよい。
【００１１】
各ＲＬＭ−ＲＳリソースにおいて、セルの下りリンク無線リンク品質を監視するために、ＵＥは、下りリンク無線リンク品質を推定し、それを閾値Ｑout及びＱinと比較しようとする。閾値Ｑoutは、下りリンク無線リンクを確実には受信できないレベルとして定義され、同期外れブロック誤り率（ＢＬＥＲout）に対応するものとする。閾値Ｑinは、Ｑoutよりも下りリンク無線リンク品質を有意により確実に受信することができるレベルとして定義され、同期確立ブロック誤り率（ＢＬＥＲin）に対応するものとする。Ｑout及びＱinはいずれも、特定の構成下における仮想ＰＤＣＣＨ（ＱＣＬ−ｅｄＣＯＲＥＳＥＴ）ＢＬＥＲに基づいて導出される。なお、ＵＥは、例えば帯域幅（ＢＷ）、制御チャネル要素（ＣＣＥ）レベル、及びＲＬＭ−ＲＳのパワーブースティングを含む制御リソースセット（ＣＯＲＥＳＥＴ）パラメータによって決定される様々に異なる構成下において、様々に異なる信号対雑音比（ＳＮＲ）レベルでＱout／Ｑinを満たすことに留意されたい。
【００１２】
しかし、ＵＥは、異なるパラメータを有する２つ以上の疑似コロケーションされた（ＱＣＬ−ｅｄ）ＣＯＲＥＳＥＴを用いて構成することができ、これは、ＵＥが、異なるＣＯＲＥＳＥＴがＲＵＭに対して選択される場合、異なるＳＮＲレベルでＱout／Ｑinを宣言し得ることを意味する。しかし、ＵＥがどのようにしてＲＵＭに対するＣＯＲＥＳＥＴを選択するべきかについて、現在の仕様では指針が存在しない。曖昧さを回避するために、この目的のためのＵＥの新たな動作が導入されるべきである。
【００１３】
本開示は、ＲＵＭのためのＣＯＲＥＳＥＴを選択するための新しいＵＥの動作の実施形態を提供する。新しいＵＥの動作は、構成されたＲＬＭ−ＲＳリソースが、２つ以上のＣＯＲＥＳＥＴを有するＱＣＬタイプＤである場合、様々なパラメータ又は基準に基づいて、ＲＬＭに関するＰＤＣＣＨパラメータを決定することを含む。パラメータ／基準は、
１）構成されたＣＯＲＥＳＥＴのうちの１つのみが、ＰＤＣＣＨモニタリングのためにＵＥによって使用されている場合、ＰＤＣＣＨモニタリングのためにＵＥによって使用されているＣＯＲＥＳＥＴ、又は
２）ＰＤＣＣＨモニタリングのために使用されている構成されたＣＯＲＥＳＥＴが２つ以上ある場合、ＰＤＣＣＨモニタリングのためにＵＥによって使用されているＣＯＲＥＳＥＴの中で最も低いインデックスを有するＣＯＲＥＳＥＴ、又は
３）ＰＤＣＣＨモニタリングのために使用されているＣＯＲＥＳＥＴが２つ以上ある場合、ＰＤＣＣＨモニタリングのためにＵＥによって使用されているＣＯＲＥＳＥＴの中で最も高いインデックスを有するＣＯＲＥＳＥＴ、又は
４）ＰＤＣＣＨモニタリングのために使用されているＣＯＲＥＳＥＴが２つ以上ある場合、ＰＤＣＣＨモニタリングのためにＵＥによって使用されているＣＯＲＥＳＥＴの中で最小の仮想ＰＤＣＣＨ  ＢＬＥＲを有するＣＯＲＥＳＥＴ、又は
５）ＰＤＣＣＨモニタリングに使用されているＣＯＲＥＳＥＴが２つ以上ある場合、ＰＤＣＣＨモニタリングのためにＵＥによって使用されているＣＯＲＥＳＥＴ間の最大の仮想ＤＣＣＨ  ＢＬＥＲを有するＣＯＲＥＳＥＴ、を含む。
【００１４】
上述したように５つの可能な動作があり、ＲＬＭ−ＲＳリソースは、ＳＳＢ、ＣＳＩ−ＲＳ、ＳＳＢとＣＳＩ−ＲＳとの混合、及びＲＬＭのために使用されることができる任意の他のパイロット信号であり得る。
【００１５】
第１の可能な動作の場合、ＲＬＭに対するＰＤＣＣＨパラメータを決定するため、ＵＥは、ＰＤＣＣＨ共通サーチスペース及び／又はＰＤＣＣＨ固有サーチスペースとして構成されているＣＯＲＥＳＥＴを選択しようとする。利点は、このＣＯＲＥＳＥＴが、ＰＤＣＣＨ共通サーチスペース及び／又はＰＤＣＣＨ固有サーチスペースとして構成されていないものよりも、無線リンク品質をより反映することができることにある。したがって、これに基づいて、ＵＥは正確なＲＬＭを実現することができる。
【００１６】
ＰＤＣＣＨ共通サーチスペース及び／又はＰＤＣＣＨ固有サーチスペースとして構成された２つ以上のＣＯＲＥＳＥＴが存在する場合、ＵＥは、そのうちの１つを選び、（可能な動作２〜５に対応する）ＲＬＭのためのＰＤＣＣＨパラメータを決定する必要がある。ＵＥは、最も低い又は最も高いインデックスを有するＣＯＲＥＳＥＴを選択することができる。あるいは、ＵＥは、最小のＰＤＣＣＨ  ＢＬＥＲを有するＣＯＲＥＳＥＴを選択することができ、（ＲＬＦがこのＣＯＲＥＳＥＴにおいて生じると、他の全てのＣＯＲＥＳＥＴもＲＬＦをトリガしようとするため）ロバスト性を高めることができる。これは、例えば、ＵＥが木によって短時間ブロックされた後にすぐに回復するなど、特定の状況において役立ち得、ＵＥはＲＬＦをトリガーしようとしない。又は、ＵＥは、最大のＰＤＣＣＨ  ＢＬＥＲを有するＣＯＲＥＳＥＴもまた選択することができ、（ＲＬＦをかなり容易にトリガすることができるため）効率的なＲＬＭを実現することができる。これは、高速シナリオの場合、良い戦略である（ＵＥは、高速ＲＬＦをトリガし、隣接セルに再確立することができる）。
【００１７】
無線リンクモニタリング（ＲＬＭ）の態様
無線リンクモニタリング（ＲＬＭ）は、同期外れ状態／同期確立状態を上位レイヤに示す目的で、プライマリーセルの下りリンク無線リンク品質を監視するためにＵＥによって使用されるメカニズムを指す。ＵＥは、プライマリセル上のアクティブＤＬ  ＢＷＰ以外には、ＤＬ  ＢＷＰにおける下りリンク無線リンク品質を監視する必要はない。
【００１８】
ＵＥがＳＣＧを用いて構成され、パラメータｒｌｆ−ＴｉｍｅｒｓＡｎｄＣｏｎｓｔａｎｔｓが上位レイヤによって提供され、リリースするように設定されていない場合には、同期外れ状態／同期確立状態を上位レイヤに示す目的で、ＳＣＧのＰＳＣｅｌｌの下りリンク無線リンク品質がＵＥによって監視される。ＵＥは、ＰＳＣｅｌｌに関するＳｕｂｃｌａｕｓｅ１２に記載されているように、アクティブなＤＬ  ＢＷＰ以外には、ＤＬ  ＢＷＰにおける下りリンク無線リンク品質を監視する必要はない。
【００１９】
ＵＥは、上位レイヤパラメータｆａｉｌｕｒｅＤｅｔｅｃｔｉｏｎＲｅｓｏｕｒｃｅｓによる無線リンクモニタリングのために、上位レイヤパラメータのセットＲａｄｉｏＬｉｎｋＭｏｎｉｔｏｒｉｎｇＲＳの対応するセットを通して、ＳｐＣｅｌｌの各ＤＬ  ＢＷＰに対しリソースインデックスのセットを用いて構成され得る。ＵＥは、上位レイヤパラメータｃｓｉ−ＲＳ−ＩｎｄｅｘによるＣＳＩ−ＲＳリソース構成インデックス、又は上位レイヤパラメータｓｓｂ−ＩｎｄｅｘによるＳＳ／ＰＢＣＨブロックインデックスのいずれかを、上位レイヤパラメータＲａｄｉｏＬｉｎｋＭｏｎｉｔｏｒｉｎｇＲＳによって提供される。ＵＥは、以下で論じるリンク回復手順、及び無線リンクモニタリングのため、最大ＮLR-RLM個のＲａｄｉｏＬｉｎｋＭｏｎｉｔｏｒｉｎｇＲＳを用いて構成され得る。ＮLR-RLMＲａｄｉｏＬｉｎｋＭｏｎｉｔｏｒｉｎｇＲＳからＮRLMＲａｄｉｏＬｉｎｋＭｏｎｉｔｏｒｉｎｇＲＳまでを、候補ＳＳ／ＰＢＣＨブロックのハーフフレーム当たりの最大数Ｌに応じて、無線リンクモニタリングのために使用することができ、最大２つのＲａｄｉｏＬｉｎｋＭｏｎｉｔｏｒｉｎｇＲＳをリンク回復手順のために使用することができる。
【００２０】
ＵＥが上位レイヤパラメータＲａｄｉｏＬｉｎｋＭｏｎｉｔｏｒｉｎｇＲＳを提供されず、また、ＵＥが、ＣＳＩ−ＲＳ及び／又はＳＳ／ＰＢＣＨブロックのうちの１つ以上を含む１つ以上のＲＳを、ＰＤＣＣＨのための上位レイヤパラメータＴＣＩ−ｓｔａｔｅによって提供される場合、
−ＵＥは、ＰＤＣＣＨのアクティブなＴＣＩ状態がＲＳを１つのみ含む場合、ＰＤＣＣＨのためのアクティブなＴＣＩ状態に対して提供されるＲＳを、無線リンクモニタリングのために使用する
−ＰＤＣＣＨのためのアクティブなＴＣＩ状態が２つのＲＳを含む場合、ＵＥは、１つのＲＳがＱＣＬ−ＴｙｐｅＤを有すること、及びＵＥが無線リンクモニタリングのために当該１つのＲＳを使用することを予期し、ＵＥは、当該１つのＲＳを無線リンクモニタリングのために使用し、ＵＥは、ＲＳの両方がＱＣＬ−ＴｙｐｅＤを有することを予期しない
ＵＥが上位レイヤパラメータＲａｄｉｏＬｉｎｋＭｏｎｉｔｏｒｉｎｇＲＳを提供されていない場合に、ＵＥは、無線リンクモニタリングのためにＮRLMＲａｄｉｏＬｉｎｋＭｏｎｉｔｏｒｉｎｇＲＳを超えて使用することを予期されない。
【００２１】
Ｌの様々に異なる値に対するＮLR-RLM及びＮRLMの値を表ＲＬＭ−１に示す。
【００２２】
【表１】
2022502973.tif 000003
【００２３】
ＣＳＩ−ＲＳリソース構成の場合は、上位レイヤパラメータｐｏｗｅｒＣｏｎｔｒｏｌＯｆｆｓｅｔＳＳｉｓは適用されず、ＵＥは、上位レイヤパラメータｃｄｍ−Ｔｙｐｅから「ＣＤＭなし」のみ、上位レイヤパラメータｄｅｎｓｉｔｙから「１」及び「３」のみ、及び上位レイヤパラメータｎｒｏｆＰｏｒｔｓから「１つのポート」のみが提供されることを予期する。
【００２４】
非ＤＲＸモード動作においては、ＵＥ内の物理レイヤは、指示期間当たり１回、上位レイヤパラメータｒｌｍＩｎＳｙｎｃＯｕｔＯｆＳｙｎｃＴｈｒｅｓｈｏｌｄによって構成された閾値（Ｑout及びＱin）に対して前期間にわたって評価された、無線リンク品質を診断する。ＵＥは、指示期間を、無線リンクモニタリングリソースの最短周期と１０ミリ秒のうちの最大値に決定する。
【００２５】
ＤＲＸモード動作においては、ＵＥ内の物理レイヤは、表示期間当たり１回、上位レイヤパラメータｒｌｍＩｎＳｙｎｃＯｕｔＯｆＳｙｎｃＴｈｒｅｓｈｏｌｄによって提供される閾値（Ｑout及びＱin）に対して、前期間にわたって評価された無線リンク品質を診断する。ＵＥは、表示期間を、無線リンクモニタリングリソースの最短周期とＤＲＸ期間のうちの最大値に決定する。
【００２６】
無線リンク品質が、無線リンクモニタリングのためのリソースのセット内における全てのリソースに関する閾値Ｑoutよりも悪い場合に、ＵＥにおける物理レイヤは、無線リンク品質が診断されるフレーム内で、上位レイヤに対して同期外れであることを示す。無線リンク品質が、無線リンクモニタリングのためのリソースのセット内の任意のリソースに関する閾値Ｑinよりも良い場合、ＵＥにおける物理レイヤは、無線リンク品質が診断されるフレーム内で、上位レイヤに対する同期確立を示す。
【００２７】
ＵＥは、ＰＣｅｌｌ及びＰＳＣｅｌｌの下りリンク無線リンク品質を検出するために、構成されたＲＬＭ−ＲＳリソース（単数又は複数）における参照信号に基づいて下りリンクリンク品質を監視しようとする。構成されたＲＬＭ−ＲＳリソースは、全てのＳＳＢでもあってもよく、全てのＣＳＩ−ＲＳであってもよく、又はＳＳＢとＣＳＩ−ＲＳの混合であってもよい。ＵＥは、アクティブなＤＬ  ＢＷＰ外でＲＬＭを実行する必要はない。ＲＬＭ（ＲＬＭ−ＲＳ）リソースに関する参照信号は、上位レイヤパラメータＲＬＭ−ＲＳ−ＬｉｓｔによってＲＬＭのために構成されたリソースのセットのうちのリソースである。
【００２８】
各ＲＬＭ−ＲＳリソースにおいて、セルの下りリンク無線リンク品質を監視するために、ＵＥは下りリンク無線リンク品質を推定しそれを閾値Ｑout及びＱinと比較しようとする。
【００２９】
閾値Ｑoutは、下りリンク無線リンクを確実には受信できないレベルとして定義され、表ＲＬＭ．１−１で定義される同期外れブロック誤り率（ＢＬＥＲout）に対応するべきである。ＳＳＢベースの無線リンクモニタリングの場合、Ｑout_SSBは、表ＲＬＭ．２−１に列挙された仮想ＰＤＣＣＨ送信パラメータに基づいて導出される。ＣＳＩ−ＲＳベースの無線リンクモニタリングの場合、Ｑout_CSI-RSは、表ＲＬＭ．３−１に列挙された仮想ＰＤＣＣＨ送信パラメータに基づいて導出される。
【００３０】
閾値Ｑinは、Ｑoutにおけるよりも下りリンク無線リンク品質を有意により確実に受信することができるレベルとして定義され、表ＲＬＭ．１−１で定義された同期確立ブロック誤り率（ＢＬＥＲin）に対応するべきである。ＳＳＢベースの無線リンクモニタリングの場合、Ｑin_SSBは、表ＲＬＭ．２−２に列挙された仮想ＰＤＣＣＨ送信パラメータに基づいて導出される。ＣＳＩ−ＲＳベースの無線リンクモニタリングの場合、Ｑin_CSI-RSは、表ＲＬＭ．３−２に列挙される仮想ＰＤＣＣＨ送信パラメータに基づいて導出される。
【００３１】
同期外れブロック誤り率（ＢＬＥＲout）及び同期確立ブロック誤り率（ＢＬＥＲin）は、上位レイヤによってシグナリングされるパラメータＲＬＭ−ＩＳ−ＯＯＳ−ｔｈｒｅｓｈｏｌｄＣｏｎｆｉｇを介してネットワーク構成から決定される。ネットワークは、表ＲＬＭ．１−１に示される、同期外れブロック誤り率及び同期確立ブロック誤り率の対の２組のうちの１つを構成することができる。ＵＥがネットワークからのＲＬＭ−ＩＳ−ＯＯＳ−ｔｈｒｅｓｈｏｌｄＣｏｎｆｉｇを用いて構成されていない場合、ＵＥは、デフォルトとして表ＲＬＭ．１−１の構成＃０からの同期外れブロック誤り率及び同期確立ブロック誤り率を決定する。
【００３２】
【表２】
2022502973.tif 000004
【００３３】
いくつかの実施形態では、ＵＥは、それぞれ対応するキャリア周波数範囲内の、同一の又は異なるタイプのＸRLM-RS  ＲＬＭ−ＲＳリソースまでを監視できることとされ、ここで、ＸRLM-RSは、表ＲＬＭ．１−２に指定され、以下に指定される要件を満たす。
【００３４】
【表３】
2022502973.tif 000005
【００３５】
ＳＳＢベースの無線リンクモニタリングの要件
ＲＬＭのために構成されたＳＳＢが、以下に指定される全評価期間の間に、ＵＥのアクティブなＤＬ  ＢＷＰ内で実際に送信される限り、各ＳＳＢベースのＲＬＭ−ＲＳリソースは、ＰＣｅｌｌ及び／又はＰＳＣｅｌｌのために構成される。
【００３６】
【表４】
2022502973.tif 000006
【００３７】
【表５】
2022502973.tif 000007
【００３８】
最小要件
いくつかの実施形態では、ＵＥは、最後のＴEvaluate_out_SSB［ｍｓ］期間にわたって推定された構成されたＲＬＭ−ＲＳリソースにおける下りリンク無線リンク品質が、ＴEvaluate_out_SSB［ｍｓ］評価期間内の閾値Ｑout_SSBよりも悪くなるかどうかを評価可能とされる。
【００３９】
いくつかの実施形態では、ＵＥは、最後のＴEvaluate_in_SSB［ｍｓ］期間にわたって推定された、構成されたＲＬＭ−ＲＳリソースにおける下りリンク無線リンク品質が、ＴEvaluate_in_SSB［ｍｓ］評価期間内の閾値Ｑin_SSBよりも良くなるかどうかを評価可能とされる。
【００４０】
ＦＲ１の場合のＴEvaluate_out_SSB及びＴEvaluate_in_SSBは、表ＲＬＭ．２−３に定義される。
【００４１】
ＦＲ２の場合のＴEvaluate_out_SSB及びＴEvaluate_in_SSBは、表ＲＬＭ．２−４に定義され、
−ＲＬＭのために構成されたＳＳＢが、空間的にＱＣＬされ、ＢＭのために構成されたＣＳＩ−ＲＳリソースにＴＤＭされ、ＱＣＬとの関連付けがＵＥに既知である場合、Ｎ＝１であり、
−さもなければＮ＝ＦＦＳである。
【００４２】
ＦＲ１の場合、
−監視されたセルにおいて、ＳＳＢのオケージョン（ｏｃｃａｓｉｏｎ）の全てではなく一部とオーバーラップする、周波数内（intra-frequency）測定、周波数間（inter-frequency）測定、又はＲＡＴ間（inter-RAT）測定のために構成された測定ギャップ（measurement gap）が存在する場合、Ｐ＝１／（１−ＴSSB／ＭＧＲＰ）であり、
−監視されたセルにおいて、ＳＳＢのどのオケージョンともオーバーラップする測定ギャップが存在しない場合、Ｐ＝１である。
【００４３】
ＦＲ２の場合、
−ＲＬＭ−ＲＳが測定ギャップとオーバーラップせず、またＲＬＭ−ＲＳがＳＭＴＣオケージョンと部分的にオーバーラップする（ＴSSB＜ＴSMTC期間）場合、Ｐ＝１／（ｌ−ＴSSB／ＴSMTC期間）である。
−ＲＬＭ−ＲＳが測定ギャップとオーバーラップせず、またＲＬＭ−ＲＳがＳＭＴＣ期間と完全にオーバーラップしている（ＴSSB＝ＴSMTC期間）場合、ＰはＰ共有係数である。
−ＲＬＭ−ＲＳが測定ギャップと部分的にオーバーラップし、ＲＬＭ−ＲＳがＳＭＴＣオケージョンと部分的にオーバーラップし（ＴSSB＜ＴSMTC期間）、ＳＭＴＣオケージョンが測定ギャップとオーバーラップしない場合、Ｐは、１／（１−ＴSSB／ＭＧＲＰ−ＴSSB／ＴSMTC期間）であり、
−ＴSMTC期間≠ＭＧＲＰ、又は
−ＴSMTC期間＝ＭＧＲＰ、かつＴＳＳＢ＜０．５*ＴSMTC期間である場合、Ｐは、１／（１−ＴSSB／ＭＧＲＰ−ＴSSB／ＴSMTC期間）である。
−ＲＬＭ−ＲＳが測定ギャップと部分的にオーバーラップし、ＲＬＭ−ＲＳは、ＳＭＴＣオケージョンと部分的にオーバーラップしており（ＴSSB＜ＴSMTC期間）、ＳＭＴＣオケージョンは測定ギャップとオーバーラップせず、ＴSMTC期間＝ＭＧＲＰであり、ＴSSB＝０．５*ＴSMTC期間である場合、Ｐは、１／（１−ＴSSB／ＭＧＲＰ）*Ｐ共有係数である。
−ＲＬＭ−ＲＳが測定ギャップと部分的にオーバーラップしており、ＲＬＭ−ＲＳがＳＭＴＣオケージョンと部分的にオーバーラップし（ＴSSB＜ＴSMTC期間）、ＳＭＴＣオケージョンが測定ギャップと部分的にオーバーラップしている（ＴSMTC期間＜ＭＧＲＰ）場合、Ｐは１／｛１−ＴSSB／ｍｉｎ（ＴSMTC期間、ＭＧＲＰ）｝である。
−ＲＬＭ−ＲＳが測定ギャップと部分的にオーバーラップしており、ＲＬＭ−ＲＳがＳＭＴＣオケージョンと完全にオーバーラップしており（ＴSSB＝ＴSMTC期間）、ＳＭＴＣオケージョンは測定ギャップと部分的にオーバーラップしている（ＴSMTC期間＜ＭＧＲＰ）場合、Ｐは、１／（１−ＴSSB／ＭＧＲＰ）*Ｐ共有係数である。
−Ｐ共有係数はＦＦＳである
【００４４】
ＲＬＭ−ＲＳ、ＳＭＴＣオケージョン及び測定ギャップ構成の組み合わせが前の条件を満たさない場合、より長い評価期間が予期されることになる。
【００４５】
【表６】
2022502973.tif 000008
【００４６】
【表７】
2022502973.tif 000009
【００４７】
ＣＳＩ−ＲＳベースの無線リンクモニタリングの要件
いくつかの実施形態において、以下に指定される全評価期間の間、ＲＬＭのために構成されたＣＳＩ−ＲＳがＵＥのアクティブＤＬ  ＢＷＰ中で実際に送信される限り、各ＣＳＩ−ＲＳベースのＲＬＭ−ＲＳリソースがＰＣｅｌｌ及び／又はＰＳＣｅｌｌのために構成される。
【００４８】
【表８】
2022502973.tif 000010
【００４９】
【表９】
2022502973.tif 000011
【００５０】
最小要件
いくつかの実施形態では、ＵＥは、最後のＴEvaluate_out_CSI-RS［ｍｓ］期間にわたり推定された構成されたＲＬＭ−ＲＳリソースにおける下りリンク無線リンク品質が、ＴEvaluate_out_CSI-RS［ｍｓ］評価期間内の閾値Ｑout_CSI-RSよりも悪くなるかどうかを評価可能とされる。
【００５１】
いくつかの実施形態では、ＵＥは、最後のＴEvaluate_in_CSI-RS［ｍｓ］期間にわたり推定された構成されたＲＬＭ−ＲＳリソースにおける下りリンク無線リンク品質が、ＴEvaluate_in_CSI-RS［ｍｓ］評価期間内の閾値Ｑin_CSI-RSよりも良くなるかどうかを評価可能とされる。
−ＴEvaluate_out_CSI-RS及びＴEvaluate_in_CSI-RSは、ＦＲ１の場合、表ＲＬＭ．３−３に定義される。
−ＴEvaluate_out_CSI-RS及びＴEvaluate_in_CSI-RSは、ＦＲ２の場合、表ＲＬＭ．３−４に定義され、
−ＲＬＭのために構成されたＣＳＩ−ＲＳリソースが空間的にＱＣＬされ、ＢＭのために構成されたＣＳＩ−ＲＳリソース、又はＢＭのために構成されたＳＳＢにＴＤＭされ、ＱＣＬとの関連付けがＵＥに既知である場合、Ｎ＝１であり、
−さもなければＮ＝ＦＦＳである。
【００５２】
ＦＲ１の場合、
−監視されたセルにおいて、ＣＳＩ−ＲＳのオケージョンの全てではなく、一部とオーバーラップする、周波数内測定、周波数間測定、又はＲＡＴ間測定のために構成された測定ギャップが存在する場合、Ｐ＝１／（ｌ−ＴCSI-RS／ＭＧＲＰ）であり、
−監視されたセルにおいて、ＣＳＩ−ＲＳのどのオケージョンともオーバーラップする測定ギャップが存在しない場合、Ｐ＝１である。
【００５３】
ＦＲ２の場合、
−ＲＬＭ−ＲＳが測定ギャップとオーバーラップせず、またＳＭＴＣオケージョンともオーバーラップしない場合、Ｐ＝１である。
−ＲＬＭ−ＲＳが測定ギャップと部分的にオーバーラップし、ＲＬＭ−ＲＳがＳＭＴＣオケージョンとオーバーラップしていない（ＴCSI-RS＜ＭＧＲＰ）場合、Ｐ＝１／（ｌ−ＴCSI-RS／ＭＧＲＰ）である。
−ＲＬＭ−ＲＳが測定ギャップとオーバーラップせず、ＲＬＭ−ＲＳは、ＳＭＴＣオケージョンと部分的にオーバーラップする（ＴCSI-RS＜ＴSMTC期間）場合、Ｐ＝１／（ｌ−ＴCSI-RS／ＴSMTC期間）である。
−ＲＬＭ−ＲＳが測定ギャップとオーバーラップせず、またＲＬＭ−ＲＳがＳＭＴＣオケージョンと完全にオーバーラップしている（ＴCSI-RS＝ＴSMTC期間）場合、ＰはＰ共有係数である。
−ＲＬＭ−ＲＳが測定ギャップと部分的にオーバーラップし、ＲＬＭ−ＲＳが部分的にＳＭＴＣオケージョン（ＴＣＳＩ−ＲＳ＜ＴSMTC期間）とオーバーラップし、ＳＭＴＣオケージョンは測定ギャップとオーバーラップしない場合、Ｐは、１／（１−ＴCSI-RS／ＭＧＲＲＰ−ＴCSI-RS／ＴSMTC期間）であり、
−ＴSMTC期間≠ＭＧＲＰ、又は
−ＴSMTC期間＝ＭＧＲＰ、かつＴCSI-RS＜０．５*ＴSMTC期間である場合、
−ＲＬＭ−ＲＳが測定ギャップと部分的にオーバーラップし、ＲＬＭ−ＲＳは、ＳＭＴＣオケージョンと部分的にオーバーラップしており（ＴCSI-RS＜ＴSMTC期間）、ＳＭＴＣオケージョンは測定ギャップとオーバーラップせず、ＴSMTC期間＝ＭＧＲＰかつＴCSI-RS＝０．５*ＴSMTC期間である場合、Ｐは、１／（１−ＴCSI-RS／ＭＧＲＰ）*Ｐ共有係数である。
−ＲＬＭ−ＲＳが測定ギャップと部分的にオーバーラップしており、ＲＬＭ−ＲＳは部分的にＳＭＴＣオケージョンとオーバーラップし（ＴCSI-RS＜ＴSMTC期間）、ＳＭＴＣオケージョンは測定ギャップと部分的にオーバーラップしている（ＴSMTC期間＜ＭＧＲＰ）場合、Ｐは１／｛１−ＴCSI-RS／ｍｉｎ（ＴSMTC期間、ＭＧＲＰ）｝である。
−ＲＬＭ−ＲＳが測定ギャップと部分的にオーバーラップし、ＲＬＭ−ＲＳがＳＭＴＣオケージョンと完全にオーバーラップし（ＴCSI-RS＝ＴSMTC期間）、ＳＭＴＣオケージョンは測定ギャップ（ＴSMTC期間＜ＭＧＲＰ）と部分的にオーバーラップしている場合、Ｐは、１／（１−ＴCSI-RS／ＭＧＲＰ）*Ｐ共有係数である。
−Ｐ共有係数はＦＦＳである
【００５４】
ＲＬＭ−ＲＳ、ＳＭＴＣオケージョン及び測定ギャップ構成の組み合わせが前の条件を満たさない場合、より長い評価期間が予期されるであろう。
【００５５】
表ＲＬＭ．３−３及び表ＲＬＭ．３−４で使用されるＭout及びＭinの値は、以下のように定義される。
−ＲＬＭのために構成されたＣＳＩ−ＲＳリソースが密度＝３で送信される場合、Ｍout＝２０及びＭin＝１０である。
【００５６】
【表１０】
2022502973.tif 000012
【００５７】
【表１１】
2022502973.tif 000013
【００５８】
ＬＩ表示の最小要件
いくつかの実施形態では、全ての構成されたＲＬＭ−ＲＳリソースにおける下りリンク無線リンク品質がＱoutよりも悪い場合、ＵＥにおけるレイヤ１は、セルに関する同期外れ表示を上位レイヤに送信しようする。レイヤ３のフィルタが同期外れ表示に適用されるべきである。
【００５９】
いくつかの実施形態では、構成されたＲＬＭ−ＲＳリソースのうちの少なくとも１つにおける下りリンク無線リンク品質がＱinよりも良い場合、ＵＥのレイヤ１は、セルに関する同期確立表示を上位レイヤに送信しようとする。レイヤ３のフィルタが同期確立表示に適用されるべきである。
【００６０】
構成されたＲＬＭ−ＲＳリソースに関する同期外れ評価及び同期確立評価が実行されるべきである。レイヤ１からの２つの連続的な表示は、少なくともＴIndication_intervalによって分離されるべきである。
【００６１】
ＤＲＸが使用されない場合、ＴIndication_intervalはｍａｘ（１０ｍｓ、ＴRLM-RS、M）であり、
ＴRLM、Mは、監視されているセルのための構成された全ＲＬＭ−ＲＳリソースのうち最短の周期であり、それは、ＲＬＭ−ＲＳリソースがＳＳＢである場合は、ＴSSBに対応し、あるいは、ＲＬＭ−ＲＳリソースがＣＳＩ−ＲＳである場合はＴCSI-RSに対応する。
【００６２】
ＤＲＸが用いられる場合、Ｔ３１０タイマーが開始されると、ＵＥは、非ＤＲＸモードに対応する評価期間及びレイヤ１表示間隔を使用して、構成されたＲＬＭ−ＲＳリソースをＴ３１０タイマーの終了又は停止まで、回復のために監視しようとする。
【００６３】
無線リンクモニタリング中のＵＥのスケジューリングの可用性
ＲＬＭのために測定されるべき参照信号が、ＰＤＳＣＨ／ＰＤＣＣＨとは異なるサブキャリア間隔を有し、周波数範囲ＦＲ２にある場合、以下に説明するように、スケジューリングの可用性に制限がある。
【００６４】
ＦＲ１上のＰＤＳＣＨ／ＰＤＣＣＨと同じサブキャリア間隔で無線リンクモニタリングを実行するＵＥのスケジューリング可用性
無線リンクモニタリングがＦＲ１上のＰＤＳＣＨ／ＰＤＣＣＨと同じサブキャリア間隔で実行されることにより、スケジューリングの制限は存在しない。
【００６５】
ＦＲ１上のＰＤＳＣＨ／ＰＤＣＣＨとは異なるサブキャリア間隔で無線リンクモニタリングを実行するＵＥのスケジューリング可用性
ｓｉｍｕｌｔａｎｅｏｕｓＲｘＤａｔａＳＳＢ−ＤｉｆｆＮｕｍｅｒｏｌｏｇｙ［１４］をサポートするＵＥの場合、無線リンクモニタリングがＲＬＭ−ＲＳとしてのＳＳＢに基づいているため、スケジューリング可用性に制限はない。ｓｉｍｕｌｔａｎｅｏｕｓＲｘＤａｔａＳＳＢ−ＤｉｆｆＮｕｍｅｒｏｌｏｇｙ［１４］をサポートしないＵＥの場合には、無線リンクモニタリングＲＬＭ−ＲＳとしてのＳＳＢに基いているのため、以下の制限が適用される。ＵＥは、無線リンクモニタリングのために測定されるＳＳＢシンボル上でＰＵＣＣＨ／ＰＵＳＣＨを送信するか、又はＰＤＣＣＨ／ＰＤＳＣＨを受信することが予期されない。
【００６６】
帯域内キャリアアグリゲーション（intra-band carrier aggregation）が実行されるとき、無線リンクモニタリングが同じ帯域内のＦＲ１サービングＰＣｅｌｌ又はＰＳＣｅｌｌで実行されることにより、帯域上の全てのサービングセルにスケジューリング制限が適用される。ＦＲ１内の帯域間キャリアアグリゲーション（inter-band carrier aggregation）が実行されるとき、無線リンクモニタリングが異なる帯域内のＦＲ１サービングＰＣｅｌｌ又はＰＳＣｅｌｌで実行されることにより、帯域内のＦＲ１サービングセル（単数又は複数）に対するスケジューリング制限はない。
【００６７】
ＦＲ２での無線リンクモニタリングを実行するＵＥのスケジューリング可用性
ＦＲ２のサービングＰＣｅｌｌ及び／又はＰＳＣｅｌｌ上の無線リンクモニタリングにより、以下のスケジューリング制限が適用される。
【００６８】
ＵＥは、ＲＲＣ＿ＣＯＮＮＥＣＴＥＤモードＵＥにより受信される必要がないＲＭＳＩ  ＰＤＣＣＨ／ＰＤＳＣＨ及びＰＤＣＣＨ／ＰＤＳＣＨを除き、無線リンクモニタリングのために測定されるＲＬＭ−ＲＳシンボル上で、ＰＵＣＣＨ／ＰＵＳＣＨを送信し、又はＰＤＣＣＨ／ＰＤＳＣＨを受信することは予期されない。
【００６９】
ＦＲ１−ＦＲ２帯域間ＣＡ（inter-band CA）の場合にＦＲ１又はＦＲ２上の無線リンクモニタリングを実行するＵＥのスケジューリング可用性
無線リンクモニタリングがＦＲ２サービングＰＣｅｌｌ及び／又はＰＳＣｅｌｌで実行されることによる、ＦＲ１サービングセル（単数又は複数）に対するスケジューリング制限はない。
【００７０】
無線リンクモニタリングがＦＲ１サービングＰＣｅｌｌ及び／又はＰＳＣｅｌｌで実行されることによる、ＦＲ２サービングセル（単数又は複数）に対するスケジューリング制限はない。
【００７１】
リンク回復手順
ＵＥは、サービングセル上の無線リンク品質測定のため、サービングセルのために、上位レイヤパラメータｆａｉｌｕｒｅＤｅｔｅｃｔｉｏｎＲｅｓｏｕｒｃｅｓによる周期的ＣＳＩ−ＲＳリソース構成インデックスのセット
【数１】
2022502973.tif 000014
と、上位レイヤパラメータｃａｎｄｉｄａｔｅＢｅａｍＲＳＬｉｓｔによる、周期的ＣＳＩ−ＲＳリソース構成インデックス及び／又はＳＳ／ＰＢＣＨブロックインデックスのセット
【数２】
2022502973.tif 000015
とを提供され得る。ＵＥが上位レイヤパラメータｆａｉｌｕｒｅＤｅｔｅｃｔｉｏｎＲｅｓｏｕｒｃｅｓを提供されていない場合、ＵＥは、ＵＥがＰＤＣＣＨを監視するために使用するそれぞれの制御リソースセットについて、ＴＣＩ状態によって示されるＲＳセットのＲＳのインデックスと同じ値を有するＳＳ／ＰＢＣＨブロックインデックス及び周期的ＣＳＩ−ＲＳリソース設定インデックスを含むように当該セット
【数３】
2022502973.tif 000016
を決定する。ＵＥは、セット
【数４】
2022502973.tif 000017
が最大２つのＲＳインデックスを含むことを予期し、２つのＲＳインデックスが存在する場合、そのセット
【数５】
2022502973.tif 000018
は、対応するＴＣＩ状態のＱＣＬ−ＴｙｐｅＤ構成を有するＲＳインデックスのみを含む。ＵＥは、そのセット
【数６】
2022502973.tif 000019
内の単一のポートＲＳを予期する。
【００７２】
閾値Ｑout、LRは、上位レイヤパラメータｒｌｍＩｎＳｙｎｃＯｕｔＯｆＳｙｎｃＴｈｒｅｓｈｏｌｄのデフォルト値に、また上位レイヤパラメータｒｓｒｐ−ＴｈｒｅｓｈｏｌｄＳＳＢによって提供される値に、それぞれ対応する。
【００７３】
ＵＥ内の物理レイヤは、閾値Ｑout、LRに対するリソース構成のセット
【数７】
2022502973.tif 000020
に従って、無線リンク品質を診断する。セット
【数８】
2022502973.tif 000021
については、ＵＥは、周期的なＣＳＩ−ＲＳリソース構成、又は、説明されたように、ＵＥによって監視されるＰＤＣＣＨ受信のＤＭ−ＲＳに、疑似コロケーションされるＳＳ／ＰＢＣＨブロックのみに従って無線リンク品質を診断する。ＵＥは、ＳＳ／ＰＢＣＨブロックから得られたＬ１−ＲＳＲＰ測定値にＱin、LR閾値を適用する。ＵＥは、上位レイヤパラメータｐｏｗｅｒＣｏｎｔｒｏｌＯｆｆｓｅｔＳＳによって提供された値を用いて、それぞれのＣＳＩ−ＲＳ受信電力をスケーリングした後に、ＣＳＩ−ＲＳリソースに対して得られたＬ１−ＲＳＲＰ測定にＱin、LR閾値を適用する。
【００７４】
ＵＥが無線リンク品質を診断するために使用するセット
【数９】
2022502973.tif 000022
内の全ての対応するリソース構成に関する無線リンク品質が、閾値Ｑout、LRよりも悪い場合に、ＵＥ内の物理レイヤは上位レイヤに表示を提供する。物理レイヤは、無線リンク品質が閾値Ｑｏｕｔ、ＬＲよりも悪いとき、ＵＥが無線リンク品質を診断するために使用するセット
【数１０】
2022502973.tif 000023
内の周期的ＣＳＩ−ＲＳ構成又はＳＳ／ＰＢＣＨブロックの最短周期と２ｍｓｅｃのうちの最大値によって決定される周期を用いて上位レイヤに通知する。
【００７５】
上位レイヤから要求されると、ＵＥは、セット
【数１１】
2022502973.tif 000024
からの周期的ＣＳＩ−ＲＳ構成インデックス及び／又はＳＳ／ＰＢＣＨブロックインデックス、並びに対応する閾値以上の対応するＬ１−ＲＳＲＰ測定値を上位レイヤに提供する。
【００７６】
ＵＥは、制御リソースセット内のＰＤＣＣＨを監視するために、Ｓｕｂｃｌａｕｓｅ１０．１に記載するように、上位レイヤパラメータｒｅｃｏｖｅｒｙＳｅａｒｃｈＳｐａｃｅＩｄによって提供されるサーチスペースセットへのリンクを介して制御リソースセットを提供され得る。ＵＥが上位レイヤパラメータｒｅｃｏｖｅｒｙＳｅａｒｃｈＳｐａｃｅＩｄを提供される場合、ＵＥは、ｒｅｃｏｖｅｒｙＳｅａｒｃｈＳｐａｃｅＩｄによって提供されるサーチスペースセットに関連付けられた制御リソースセット内のＰＤＣＣＨを監視するための別のサーチスペースセットを提供されることを予期しない。
【００７７】
ＵＥは、上位レイヤパラメータＰＲＡＣＨ−ＲｅｓｏｕｒｃｅＤｅｄｉｃａｔｅｄＢＦＲにより、Ｓｕｂｃｌａｕｓｅ８．１に記載されるＰＲＡＣＨ送信のための構成を受信することができる。スロットｎにおけるＰＲＡＣＨ送信のため、かつ、上位レイヤによって提供されるインデックスｑnewを有する、周期的ＣＳＩ−ＲＳ構成又はＳＳ／ＰＢＣＨブロックに関連付けられたアンテナポート疑似コロケーションパラメータに従って、ＵＥは、上位レイヤパラメータＢｅａｍＦａｉｌｕｒｅＲｅｃｏｖｅｒｙＣｏｎｆｉｇによって構成されたウィンドウ内のスロットｎ＋４から始まるＣ−ＲＮＴＩによってスクランブルされたＣＲＣを有するＤＣＩフォーマットを検出するために、上位レイヤパラメータｒｅｃｏｖｅｒｙＳｅａｒｃｈＳｐａｃｅＩｄによって提供されるサーチスペース内のＰＤＣＣＨを監視する。ＰＤＣＣＨモニタリング及び対応するＰＤＳＣＨ受信のため、ＵＥは、ＵＥが上位レイヤによってＴＣＩ状態のアクティベーション、又はパラメータＴＣＩ−ＳｔａｔｅｓＰＤＣＣＨ−ＴｏＡｄｄｌｉｓｔ及び／若しくはＴＣＩ−ＳｔａｔｅｓＰＤＣＣＨ−ＴｏＲｅｌｅａｓｅＬｉｓｔのいずれかを受信するまで、インデックスｑnewを有する、同じアンテナポート疑似コロケーションパラメータを仮定する。ＵＥが、ｒｅｃｏｖｅｒｙＳｅａｒｃｈＳｐａｃｅＩｄによって提供されるサーチスペース内でＣ−ＲＮＴＩによってスクランブルされたＣＲＣを伴うＤＣＩフォーマットを検出した後、ＵＥは、ＵＥがＴＣＩ状態のＭＡＣ  ＣＥアクティベーションコマンド又は上位レイヤパラメータＴＣＩ−ＳｔａｔｅｓＰＤＣＣＨ−ＴｏＡｄｄｌｉｓｔ及び／若しくはＴＣＩ−ＳｔａｔｅｓＰＤＣＣＨ−ＴｏＲｅｌｅａｓｅＬｉｓｔのためのＭＡＣ  ＣＥアクティブ化コマンドを受信するまで、ｒｅｃｏｖｅｒｙＳｅａｒｃｈＳｐａｃｅＩｄによって提供されるサーチスペース内のＰＤＣＣＨ候補を監視する。
【００７８】
ＵＥがｒｅｃｏｖｅｒｙＳｅａｒｃｈＳｐａｃｅＩｄにより提供されるサーチスペースセットのための制御リソースセットを提供されていない場合、又はＵＥがｒｅｃｏｖｅｒｙＳｅａｒｃｈＳｐａｃｅＩｄを提供されない場合、ＵＥは、ＰＲＡＣＨ送信をトリガするＰＤＣＣＨ命令（PDCCH order）を受信することを予期しない。
【００７９】
図４は、いくつかの実施形態に係るネットワークのシステム４００のアーキテクチャを示す。システム４００は、図示するように、ユーザ機器（ＵＥ）４０１及びＵＥ４０２を含む。ＵＥ４０１及びＵＥ４０２は、スマートフォン（例えば、１つ以上のセルラネットワークに接続可能なハンドヘルド型タッチスクリーンモバイルコンピューティングデバイス）として図示されているが、携帯情報端末（ＰＤＡ）、ページャ、ラップトップコンピュータ、デスクトップコンピュータ、無線ハンドセット、又は無線通信インターフェースを含む任意のコンピューティングデバイスなどの任意のモバイル又は非モバイルコンピューティングデバイスを含んでもよい。
【００８０】
いくつかの実施形態では、ＵＥ４０１及びＵＥ４０２のいずれかは、ＩｏＴ（Internet of Things）ＵＥを含むことができ、それは、短期ＵＥ接続を利用する低電力ＩｏＴアプリケーション用に設計されたネットワークアクセスレイヤを含み得る。ＩｏＴ  ＵＥは、ＰＬＭＮ（パブリックランドモバイルネットワーク）、ＰｒｏＳｅ（Proximity-Based Service）若しくはＤ２Ｄ（device-to-device）通信、センサネットワーク、又はＩｏＴネットワークを介して、ＭＴＣ（machine-type communication）サーバ若しくはデバイスとデータを交換するためのＭ２Ｍ（machine-to-machine）又はＭＴＣなどの技術を利用することができる。Ｍ２Ｍ又はＭＴＣデータ交換は、データの機械起動の交換であってもよい。ＩｏＴネットワークは、相互に接続するＩｏＴ  ＵＥを言い表し、それは、短期接続による、（インターネットインフラストラクチャ内の）一意に識別可能な埋め込み型コンピューティングデバイスを含み得る。ＩｏＴ  ＵＥは、ＩｏＴネットワークの接続を容易にするために、バックグラウンドアプリケーション（例えば、キープアライブメッセージ、ステータス更新など）を実行してもよい。
【００８１】
ＵＥ４０１及びＵＥ４０２は、無線アクセスネットワーク（ＲＡＮ）４１０と接続する、例えば、通信可能に連結するように構成されてもよく、ＲＡＮ４１０は、例えば、Ｅ−ＵＴＲＡＮ（発展型ＵＭＴＳ（Evolved Universal Mobile Telecommunications System）Ｔｅｒｒｅｓｔｒｉａｌ  Ｒａｄｉｏ  Ａｃｃｅｓｓ  Ｎｅｔｗｏｒｋ）、ＮＧ  ＲＡＮ（ＮｅｘｔＧｅｎ  ＲＡＮ）、又はいくつかの他のタイプのＲＡＮであってもよい。ＵＥ４０１及びＵＥ４０２は、それぞれ接続４０３及び接続４０４を利用し、これらはそれぞれ、物理通信インターフェース又はレイヤ（以下で更に詳細に議論する）を含む。本例では、接続４０３及び接続４０４は、通信可能な連結を可能にするためのエアインターフェースとして図示されており、ＧＳＭ（Global System for Mobile Communications）プロトコル、ＣＤＭＡ（code-division multiple access）ネットワークプロトコル、ＰＴＴ（Push-to-Talk）プロトコル、ＰＯＣ（PTT over Cellular）プロトコル、ＵＭＴＳ（Universal Mobile Telecommunications System）プロトコル、３ＧＰＰ  ＬＴＥ（Long Term Evolution）プロトコル、５Ｇ（第５世代）プロトコル、ＮＲ（新たな無線技術）プロトコルなどのセルラ通信プロトコルと合致することができる。
【００８２】
本実施形態では、ＵＥ４０１及びＵＥ４０２は、更に、ＰｒｏＳｅインターフェース４０５を介して通信データを直接交換することができる。ＰｒｏＳｅインターフェース４０５は、代替的に、サイドリンクインターフェースと称される場合があり、限定されないが、物理サイドリンク制御チャネル（ＰＳＣＣＨ）、物理サイドリンク共用チャネル（ＰＳＳＣＨ）、物理サイドリンクディスカバリーチャネル（ＰＳＤＣＨ）、及び物理サイドリンクブロードキャストチャネル（ＰＳＢＣＨ）を含む、１つ以上の論理チャネルを備える。
【００８３】
ＵＥ４０２は、図示するように、接続４０７を介してアクセスポイント（ＡＰ）４０６にアクセスするように構成される。接続４０７は、任意のＩＥＥＥ８０２．１１プロトコルと合致する接続などのローカルワイヤレス接続を含むことができ、ＡＰ４０６は、ＷｉＦｉ（Wireless Fidelity）（登録商標）ルータを備えるであろう。本例では、ＡＰ４０６は、図示するように、ワイヤレスシステムのコアネットワークに接続せずにインターネットに接続される（以下で更に詳細に説明する）。
【００８４】
ＲＡＮ４１０は、接続４０３及び接続４０４を可能にする１つ以上のアクセスノードを含むことができる。これらのアクセスノード（ＡＮ）は、基地局（ＢＳ）、ＮｏｄｅＢ、発展型ＮｏｄｅＢ（ｅＮＢ）、次世代ＮｏｄｅＢ（ｇＮＢ）、ＲＡＮノードなどと称される場合があり、地理的エリア（例えば、セル）内にカバレッジを提供する地上局（例えば、地上アクセスポイント）又はサテライト局を備えることができる。ＲＡＮ４１０は、マクロセル、例えば、マクロＲＡＮノード４１１を提供するための１つ以上のＲＡＮノードと、フェムトセル又はピコセル（例えば、マクロセルと比較して、より小さいカバレージエリア、より小さいユーザ容量、又はより高い帯域幅を有するセル）、例えば、低電力（ＬＰ）ノード４１２を提供するための１つ以上のＲＡＮノードと、を含んでもよい。
【００８５】
ＲＡＮノード４１１及びＲＡＮノード４１２のいずれかは、エアインターフェースプロトコルを終結させることができ、ＵＥ４０１及びＵＥ４０２の第１の接触点とすることができる。いくつかの実施形態では、ＲＡＮノード４１１及びＲＡＮノード４１２のいずれも、ＲＡＮ４１０のための様々な論理機能を果たすことができ、その機能は、限定されないが、無線ベアラ管理、上りリンク及び下りリンク動的無線リソース管理、並びにデータパケットスケジューリング、並びにモビリティ管理などの無線ネットワークコントローラ（ＲＮＣ）機能を含む。
【００８６】
いくつかの実施形態によれば、ＵＥ４０１及びＵＥ４０２は、様々な通信技術に従ったマルチキャリア通信チャネルを介して、直交周波数分割多重（ＯＦＤＭ）通信信号を用いて、互いに又はＲＡＮノード４１１及び４１２のいずれかと通信するように構成することができ、この様々な通信技術は、非限定的に、例えば、（例えば、下りリンク通信のための）直交周波数分割多元接続（ＯＦＤＭＡ）通信技術、又は（例えば、上りリンク及びＰｒｏＳｅ又はサイドリンク通信のための）シングルキャリア周波数分割多元接続（ＳＣ−ＦＤＭＡ）通信技術であるが、これらに限定されず、実施形態の範囲は、この点に関して限定されない。ＯＦＤＭ信号は、複数の直交サブキャリアを含むことができる。
【００８７】
いくつかの実施形態では、下りリンクリソースグリッドは、ＲＡＮノード４１１及びＲＡＮノード４１２のいずれかからＵＥ４０１及びＵＥ４０２への下りリンク送信のために使用することができ、一方、上りリンク送信は同様の技術を利用することができる。グリッドは、リソースグリッド又は時間周波数リソースグリッドと呼ばれる時間周波数グリッドとすることができ、それは、各スロット内の下りリンクにおける物理的リソースである。このような時間−周波数平面表現は、ＯＦＤＭシステムの一般的な方法であり、それは無線リソース割り当てを直感的なものにする。リソースグリッドの各列及び各行は、それぞれ、１つのＯＦＤＭシンボル及び１つのＯＦＤＭサブキャリアに対応する。時間領域内のリソースグリッドの持続時間は、無線フレーム内の１つのスロットに対応する。リソースグリッドの最小時間周波数単位は、リソースエレメントと表記する。各リソースグリッドは、多数のリソースブロックを含み、それは、リソースエレメントへの特定の物理チャネルのマッピングを説明する。各リソースブロックは、リソースエレメントの集合を含み、周波数領域において、これは、現在割り当てられ得るリソースの最小量を表すことができる。このようなリソースブロックを用いて伝達されるいくつかの異なる物理下りリンクチャネルが存在する。
【００８８】
物理下りリンク共用チャネル（ＰＤＳＣＨ）は、ユーザデータ及び上位レイヤシグナリングをＵＥ４０１及びＵＥ４０２に搬送することができる。物理下りリンク制御チャネル（ＰＤＣＣＨ）は、とりわけ、ＰＤＳＣＨチャネルに関するトランスポートフォーマット及びリソース割り当てに関する情報を搬送することができる。また、それは、上りリンク共用チャネルに関するトランスポートフォーマット、リソース割り当て、及びＨ−ＡＲＱ（ハイブリッド自動再送要求）情報について、ＵＥ４０１及びＵＥ４０２に通知することもできる。典型的には、下りリンクスケジューリング（制御及び共有チャネルリソースブロックをセル内のＵＥ４０２に割り当てる）下りリンクスケジューリングは、ＵＥ４０１及びＵＥ４０２のいずれかからフィードバックされるチャネル品質情報に基づいて、ＲＡＮノード４１１及びＲＡＮノード４１２のいずれかで実行されてもよい。下りリンクリソース割り当て情報は、ＵＥ４０１及びＵＥ４０２のそれぞれに対して使用される（例えば、割り当てられた）ＰＤＣＣＨ上で送信されてもよい。
【００８９】
ＰＤＣＣＨは、制御チャネルエレメント（ＣＣＥ）を使用して制御情報を伝達してもよい。リソースエレメントにマッピングされる前に、ＰＤＣＣＨ複素数値シンボルは最初に、４つの組（quadruplets）に編成されてもよく、その後、レートマッチングのためのサブブロックインターリーバを用いて入れ替えられてもよい。各ＰＤＣＣＨを、これらのＣＣＥのうちの１つ以上を用いて送信してもよく、各ＣＣＥは、リソースエレメントグループ（ＲＥＧ）として知られる４つの物理リソースエレメントの９つのセットに対応することができる。４つの四位相偏移変調（ＱＰＳＫ）シンボルを各ＲＥＧにマッピングしてもよい。ＰＤＣＣＨは、下りリンク制御情報（ＤＣＩ）のサイズ及びチャネル状態に応じて、１つ以上のＣＣＥを用いて送信することができる。異なる数のＣＣＥ（例えば、アグリゲーションレベル、Ｌ＝１、２、４、又は８）を有するＬＴＥに定義される４つ以上の異なるＰＤＣＣＨフォーマットが存在し得る。
【００９０】
いくつかの実施形態は、上記の概念の拡張である制御チャネル情報のためのリソース割り当てのための概念を使用することができる。例えば、いくつかの実施形態は、制御情報送信のためにＰＤＳＣＨリソースを使用する拡張型物理下りリンク制御チャネル（ＥＰＤＣＣＨ）を利用することができる。ＥＰＤＣＣＨを、１つ以上の拡張された制御チャネルエレメント（ＥＣＣＥ）を用いて送信してもよい。上記と同様に、各ＥＣＣＥは、拡張されたリソースエレメントグループ（ＥＲＥＧ）として知られる４つの物理リソースエレメントからなる９つのセットに対応し得る。ＥＣＣＥは、一部の状況では、他の数のＥＲＥＧを有してもよい。
【００９１】
ＲＡＮ４１０は、図示するように、Ｓ１インターフェース４１３を介してコアネットワーク（ＣＮ）４２０に通信可能に連結される。実施形態では、ＣＮ４２０は、発展型パケットコア（ＥＰＣ）ネットワーク、ＮｅｘｔＧｅｎパケットコア（ＮＰＣ）ネットワーク、又は他の何らかのタイプのＣＮであってもよい。本実施形態では、Ｓ１インターフェース４１３は、２つの部分に、すなわち、ＲＡＮノード４１１及び４１２とサービングゲートウェイ（Ｓ−ＧＷ）４２２との間でトラフィックデータを搬送するＳ１−Ｕインターフェース４１４と、ＲＡＮノード４１１及び４１２とＭＭＥ４２１との間でトラフィックデータを搬送するシグナリングインターフェースであるＳ１−モビリティ管理エンティティ（ＭＭＥ）インターフェース４１５と、に分割される。
【００９２】
本実施形態では、ＣＮ４２０は、ＭＭＥ４２１、Ｓ−ＧＷ４２２、パケットデータネットワーク（ＰＤＮ）ゲートウェイ（Ｐ−ＧＷ）４２３、及びホーム加入者サーバ（ＨＳＳ）４２４を備える。ＭＭＥ４２１は、レガシーサービング汎用パケット無線サービス（ＧＰＲＳ）サポートノード（ＳＧＳＮ）の制御プレーンと機能が同様であってもよい。ＭＭＥ４２１は、ゲートウェイ選択及びトラッキングエリアリスト管理などのアクセスのモビリティ態様を管理することができる。ＨＳＳ４２４は、ネットワークユーザのデータベースを備えることができ、それは、ネットワークエンティティによる通信セッションの取り扱いをサポートするための加入関連情報を含む。ＣＮ４２０は、モバイル加入者の数、機器の容量、ネットワークの組織に応じて、１つ又はいくつかのＨＳＳ４２４を含んでもよい。例えば、ＨＳＳ４２４は、ルーティング／ローミング、認証、認可、名前／アドレス解決、位置依存性などのためのサポートを提供することができる。
【００９３】
Ｓ−ＧＷ４２２は、ＲＡＮ４１０に対するＳ１インターフェース４１３を終結させ、ＲＡＮ４１０とＣＮ４２０との間でデータパケットをルーティングすることができる。加えて、Ｓ−ＧＷ４２２は、ＲＡＮノード間ハンドオーバーのためのローカルモビリティアンカーポイントであってもよく、また、３ＧＰＰ間モビリティのためのアンカーを提供してもよい。他の責任は、合法の傍受、課金、及び一部のポリシー実施を含んでもよい。
【００９４】
Ｐ−ＧＷ４２３は、ＰＤＮに対するＳＧｉインターフェースを終結させることができる。Ｐ−ＧＷ４２３は、インターネットプロトコル（ＩＰ）インターフェース４２５を介して、ＥＰＣネットワークと、アプリケーションサーバ４３０（代替的にアプリケーション機能（ＡＦ）と称される）を含む、ネットワークなどの外部ネットワークとの間でデータパケットをルーティングすることができる。一般に、アプリケーションサーバ４３０は、ＩＰベアラリソースを、コアネットワーク（例えば、ＵＭＴＳパケットサービス（ＰＳ）ドメイン、ＬＴＥ  ＰＳデータサービスなど）におけるＩＰベアラリソースを使用するアプリケーションを提供する要素であってもよい。本実施形態では、Ｐ−ＧＷ４２３は、図示するように、ＩＰ通信インターフェース４２５を介してアプリケーションサーバ４３０に通信可能に連結される。アプリケーションサーバ４３０はまた、ＣＮ４２０を介してＵＥ４０１及びＵＥ４０２のために１つ以上の通信サービス（例えば、ボイスオーバーインターネットプロトコル（ＶｏＩＰ）セッション、ＰＴＴセッション、グループ通信セッション、ソーシャルネットワーキングサービスなど）をサポートするように構成することもできる。
【００９５】
Ｐ−ＧＷ４２３は、更に、ポリシー実施及び課金データ収集のためのノードであってもよい。ポリシー及び課金実施機能（ＰＣＲＦ）４２６は、ＣＮ４２０のポリシー及び課金制御要素である。非ローミングシナリオでは、ＵＥのインターネットプロトコル接続アクセスネットワーク（ＩＰ−ＣＡＮ）セッションに関連付けられたＨＰＬＭＮ（Home Public Land Mobile Network）内に単一のＰＣＲＦが存在してもよい。トラフィックのローカルブレークアウトを伴うローミングシナリオでは、ＵＥのＩＰ−ＣＡＮセッションに関連付けられた２つのＰＣＲＦ、すなわち、ＨＰＬＭＮ内のＨｏｍｅＰＣＲＦ（Ｈ−ＰＣＲＦ）とＶＰＬＭＮ（Visited Public Land Mobile Network）内のＶｉｓｉｔｅｄＰＣＲＦ（Ｖ−ＰＣＲＦ）が存在し得る。ＰＣＲＦ４２６は、Ｐ−ＧＷ４２３を介してアプリケーションサーバ４３０に通信可能に連結されてもよい。アプリケーションサーバ４３０は、ＰＣＲＦ４２６に信号を送って、新しいサービスフローを示し、適切なサービス品質（ＱｏＳ）及び課金パラメータを選択することができる。ＰＣＲＦ４２６は、このルールを、適切なトラフィックフローテンプレート（ＴＦＴ）及びＱｏＳクラスの識別子（ＱＣＩ）を有するポリシー及び課金実施機能（ＰＣＥＦ）（図示せず）において設定・準備（provision）することができ、これにより、アプリケーションサーバ４３０によって指定されたＱｏＳ及び課金を開始する。
【００９６】
図５は、いくつかの実施形態に係るデバイス５００の例示の構成要素を示す。いくつかの実施形態では、デバイス５００は、少なくとも図示されるように共に連結されたアプリケーション回路５０２と、ベースバンド回路５０４と、無線周波数（ＲＦ）回路５０６と、フロントエンドモジュール（ＦＥＭ）回路５０８と、１つ以上のアンテナ５１０と、電力管理回路（ＰＭＣ）５１２と、を含み得る。図示されたデバイス５００の構成要素は、ＵＥ又はＲＡＮノードに含まれてもよい。いくつかの実施形態では、デバイス５００は、より少ない要素しか含まなくてもよい（例えば、ＲＡＮノードは、アプリケーション回路５０２を利用しなくてもよく、代わりに、ＥＰＣから受信したＩＰデータを処理するためのプロセッサ／コントローラを含んでもよい）。いくつかの実施形態では、デバイス５００は、例えば、メモリ／記憶装置、ディスプレイ、カメラ、センサ、又は入出力（Ｉ／Ｏ）インターフェースなどの追加の要素を含んでもよい。他の実施形態では、以下に記載する構成要素は、２つ以上のデバイスに含まれてもよい（例えば、上記回路は、クラウドＲＡＮ（Ｃ−ＲＡＮ）実装のために２つ以上のデバイスに別々に含まれてもよい）。
【００９７】
アプリケーション回路５０２は、１つ以上のアプリケーションプロセッサを含み得る。例えば、アプリケーション回路５０２は、限定されないが、１つ以上のシングルコア又はマルチコアプロセッサなどの回路を含むことができる。プロセッサ（単数又は複数）は、汎用プロセッサ及び専用プロセッサ（例えば、グラフィックプロセッサ、アプリケーションプロセッサなど）の任意の組み合わせを含んでもよい。プロセッサは、メモリ／記憶装置に連結されてもよいし、メモリ／記憶装置を含んでもよく、様々なアプリケーション又はオペレーティングシステムをデバイス５００上で実行することを可能にするために、メモリ／記憶装置に記憶された命令を実行するように構成されてもよい。いくつかの実施形態では、アプリケーション回路５０２のプロセッサは、ＥＰＣから受信したＩＰデータパケットを処理することができる。
【００９８】
ベースバンド回路５０４は、限定されないが、１つ以上のシングルコアプロセッサ又はマルチコアプロセッサなどの回路を含むことができる。ベースバンド回路５０４は、ＲＦ回路５０６の受信信号経路から受信したベースバンド信号を処理し、ＲＦ回路５０６の送信信号経路のためのベースバンド信号を生成するための、１つ以上のベースバンドプロセッサ又は制御ロジックを含むことができる。ベースバンド処理回路５０４は、ベースバンド信号の生成及び処理のために、かつＲＦ回路５０６の動作を制御するために、アプリケーション回路５０２とインターフェース接続することができる。例えば、いくつかの実施形態では、ベースバンド回路５０４は、第３世代（３Ｇ）ベースバンドプロセッサ５０４Ａ、第４世代（４Ｇ）ベースバンドプロセッサ５０４Ｂ、第５世代（５Ｇ）ベースバンドプロセッサ５０４Ｃ、又は他の既存世代、開発中の、若しくは将来開発される世代（例えば、第２世代（２Ｇ）、第６世代（６Ｇ）など）の他のベースバンドプロセッサ５０４Ｄを含み得る。ベースバンド回路５０４（例えば、１つ以上のベースバンドプロセッサ５０４Ａ〜Ｄ）は、ＲＦ回路５０６を介した１つ以上の無線ネットワークとの通信を可能にする様々な無線制御機能を取り扱うことができる。他の実施形態では、ベースバンドプロセッサ５０４Ａ〜Ｄの機能の一部又は全部は、メモリ５０４Ｇに記憶されたモジュールに含まれ、中央処理装置（ＣＰＵ）５０４Ｅを介して実行されてもよい。無線制御機能としては、信号変調／復調、符号化／復号、無線周波数シフトなどが挙げられ得るが、これらに限定されない。いくつかの実施形態では、ベースバンド回路５０４の変調／復調回路は、高速フーリエ変換（ＦＦＴ）、プリコーディング、又はコンステレーションマッピング／デマッピング機能を含み得る。いくつかの実施形態では、ベースバンド回路５０４の符号化／復号回路は、畳込み、テールバイティング畳込み、ターボ、ビタビ、又は低密度パリティチェック（ＬＤＰＣ）エンコーダ／デコーダ機能を含んでもよい。変調／復調及びエンコーダ／デコーダ機能の実施形態は、これらの実施例に限定されず、他の実施形態では他の好適な機能を含んでもよい。
【００９９】
いくつかの実施形態では、ベースバンド回路５０４は、１つ以上の音声デジタル信号プロセッサ（ＤＳＰ）（単数又は複数）５０４Ｆを含み得る。音声ＤＳＰ（単数又は複数）５０４Ｆは、圧縮／展開及びエコー除去のための要素を含んでもよく、他の実施形態では、他の好適な処理要素を含んでもよい。ベースバンド回路の構成要素は、いくつかの実施形態では、単一のチップ、単一のチップセット内で好適に組み合わされてもよいし、同じ回路基板上に配置されてもよい。いくつかの実施形態では、ベースバンド回路５０４及びアプリケーション回路５０２の構成要素の一部又は全部は、例えば、ＳＯＣ（system on a chip）上に、一緒に実装されてもよい。
【０１００】
いくつかの実施形態では、ベースバンド回路５０４は、１つ以上の無線技術と互換性のある通信を提供することができる。例えば、いくつかの実施形態では、ベースバンド回路５０４は、発展型ユニバーサル地上無線アクセスネットワーク（ＥＵＴＲＡＮ）又は他のワイヤレスメトロポリタンエリアネットワーク（ＷＭＡＮ）、ワイヤレスローカルエリアネットワーク（ＷＬＡＮ）、ワイヤレスパーソナルエリアネットワーク（ＷＰＡＮ）との通信をサポートすることができる。ベースバンド回路５０４が２つ以上のワイヤレスプロトコルの無線通信をサポートするように構成される実施形態は、マルチモードベースバンド回路と称される場合がある。
【０１０１】
ＲＦ回路５０６は、非固体媒体を通した変調電磁放射線を用いてワイヤレスネットワークとの通信を可能にすることができる。様々な実施形態では、ＲＦ回路５０６は、無線ネットワークとの通信を容易にするために、スイッチ、フィルタ、増幅器などを含んでもよい。ＲＦ回路５０６は、ＦＥＭ回路５０８から受信したＲＦ信号をダウンコンバートし、ベースバンド信号をベースバンド回路５０４に提供するための回路を含み得る受信信号経路を含み得る。ＲＦ回路５０６はまた、ベースバンド回路５０４によって提供されるベースバンド信号をアップコンバートし、送信のためにＲＦ出力信号をＦＥＭ回路５０８に提供するための回路を含み得る送信信号経路も含んでもよい。
【０１０２】
いくつかの実施形態では、ＲＦ回路５０６の受信信号経路は、ミキサ回路５０６ａ、増幅器回路５０６ｂ及びフィルタ回路５０６ｃを含み得る。いくつかの実施形態では、ＲＦ回路５０６の送信信号経路は、フィルタ回路５０６ｃ及びミキサ回路５０６ａを含み得る。ＲＦ回路５０６はまた、受信信号経路及び送信信号経路のミキサ回路５０６ａによって使用される周波数を合成するための合成器回路５０６ｄを含んでもよい。いくつかの実施形態では、受信信号経路のミキサ回路５０６ａは、合成器回路５０６ｄによって提供される合成周波数に基づいて、ＦＥＭ回路５０８から受信したＲＦ信号をダウンコンバートするように構成されてもよい。増幅器回路５０６ｂは、ダウンコンバートされた信号を増幅するように構成することができ、フィルタ回路５０６ｃは、ダウンコンバートされた信号から不要な信号を除去して出力ベースバンド信号を生成するように構成されたローパスフィルタ（ＬＰＦ）又はバンドパスフィルタ（ＢＰＦ）であってもよい。出力ベースバンド信号は、更に処理するためにベースバンド回路５０４に提供されてもよい。いくつかの実施形態では、出力ベースバンド信号は、ゼロ周波数ベースバンド信号であってもよいが、これは必須ではない。いくつかの実施形態では、受信信号経路のミキサ回路５０６ａは、受動ミキサを含んでもよいが、実施形態の範囲はこの点で限定されない。
【０１０３】
いくつかの実施形態では、送信信号経路のミキサ回路５０６ａは、合成器回路５０６ｄによって提供される合成周波数に基づいて入力ベースバンド信号をアップコンバートして、ＦＥＭ回路５０８のためのＲＦ出力信号を生成するように構成されてもよい。ベースバンド信号は、ベースバンド回路５０４によって提供されてもよく、フィルタ回路５０６ｃによってフィルタリングされてもよい。
【０１０４】
いくつかの実施形態では、受信信号経路のミキサ回路５０６ａ及び送信信号経路のミキサ回路５０６ａは、２つ以上のミキサを含んでもよく、直交ダウンコンバージョン及びアップコンバージョンのためにそれぞれ配置されてもよい。いくつかの実施形態では、受信信号経路のミキサ回路５０６ａ及び送信信号経路のミキサ回路５０６ａは、２つ以上のミキサを含んでもよく、イメージ除去（例えば、ハートレー（Hartley）イメージ除去）のために配置されてもよい。いくつかの実施形態では、受信信号経路のミキサ回路５０６ａ及び送信信号経路のミキサ回路５０６ａは、それぞれ直接ダウンコンバージョン及び直接アップコンバージョンのために構成されてもよい。いくつかの実施形態では、受信信号経路のミキサ回路５０６ａ及び送信信号経路のミキサ回路５０６ａは、スーパーヘテロダイン動作のために構成されてもよい。
【０１０５】
いくつかの実施形態では、出力ベースバンド信号及び入力ベースバンド信号はアナログベースバンド信号であってもよいが、実施形態の範囲はこの点で限定されない。いくつかの代替実施形態では、出力ベースバンド信号及び入力ベースバンド信号は、デジタルベースバンド信号であってもよい。これらの代替実施形態では、ＲＦ回路５０６は、アナログデジタル変換器（ＡＤＣ）及びデジタルアナログ変換器（ＤＡＣ）回路を含むことができ、ベースバンド回路５０４は、ＲＦ回路５０６と通信するためのデジタルベースバンドインターフェースを含んでもよい。
【０１０６】
いくつかのデュアルモード実施形態では、各スペクトルの信号を処理するために別個の無線ＩＣ回路が提供されてもよいが、実施形態の範囲はこの点で限定されない。
【０１０７】
いくつかの実施形態では、合成器回路５０６ｄは、フラクショナル−Ｎ合成器であってもよく、又はフラクショナル−Ｎ／Ｎ＋１合成器であってもよいが、他の種類の周波数合成器も好適であり得るので、本実施形態の範囲はこの点で限定されない。例えば、合成器回路５０６ｄは、デルタ−シグマ合成器、周波数乗算器、又は周波数ディバイダを有する位相ロックループを備える合成器であってもよい。
【０１０８】
合成器回路５０６ｄは、周波数入力及びディバイダ制御入力に基づいて、ＲＦ回路５０６のミキサ回路５０６ａによって使用される出力周波数を合成するように構成されてもよい。いくつかの実施形態では、合成器回路５０６ｄは、フラクショナルＮ／Ｎ＋１合成器であってもよい。
【０１０９】
いくつかの実施形態では、周波数入力は、電圧制御発振器（ＶＣＯ）によって提供されてもよいが、それは必須ではない。分割器制御入力は、所望の出力周波数に応じてベースバンド回路５０４又はアプリケーションプロセッサ５０２のいずれかによって提供されてもよい。いくつかの実施形態では、分割器制御入力（例えば、Ｎ）は、アプリケーションプロセッサ５０２によって表示されるチャネルに基づいてルックアップテーブルから決定されてもよい。
【０１１０】
ＲＦ回路５０６の合成器回路５０６ｄは、分割器、遅延ロックループ（ＤＬＬ）、マルチプレクサ、及び位相アキュムレータを含み得る。いくつかの実施形態では、分割器は、デュアルモジュラス分割器（ＤＭＤ）であってもよく、位相アキュムレータは、デジタル位相アキュムレータ（ＤＰＡ）であってもよい。いくつかの実施形態では、ＤＭＤは、入力信号を（例えば、実行に基づいて）Ｎ又はＮ＋１のいずれかに分割して、フラクショナル分割比を提供するように構成されてもよい。いくつかの例示的実施形態では、ＤＬＬは、カスケード式同調可能な遅延素子、位相検出器、チャージポンプ、及びＤ型フリップフロップのセットを含み得る。これらの実施形態では、遅延素子は、ＶＣＯ周期を、Ｎｄの等しい位相のパケットに分割するように構成することができ、ここでＮｄは遅延線内の遅延素子の数である。このようにして、ＤＬＬは、遅延線を通した合計遅延が１つのＶＣＯサイクルであることを保証することに寄与すべく、負のフィードバックを提供する。
【０１１１】
いくつかの実施形態では、合成器回路５０６ｄは、キャリア周波数を出力周波数として生成するように構成されてもよく、一方、他の実施形態では、出力周波数は、キャリア周波数の倍数（例えば、キャリア周波数の２倍、キャリア周波数の４倍）であってもよく、直交発生器及びディバイダ回路と併せて使用して、互いに対して複数の異なる位相を有するキャリア周波数における複数の信号を互いに対して生成する。いくつかの実施形態では、出力周波数はＬＯ周波数（ｆＬＯ）であってもよい。いくつかの実施形態では、ＲＦ回路５０６は、ＩＱ／極性変換器を含んでもよい。
【０１１２】
ＦＥＭ回路５０８は、１つ以上のアンテナ５１０から受信したＲＦ信号上で動作し、受信信号を増幅し、更に処理するために受信信号の増幅バージョンをＲＦ回路５０６に提供するように構成された回路を含み得る受信信号経路を含んでもよい。ＦＥＭ回路５０８はまた、１つ以上のアンテナ５１０のうちの１つ以上により送信されるためにＲＦ回路５０６によって提供される。送信のための信号を増幅するように構成された回路を含み得る送信信号経路を含んでもよい。様々な実施形態では、送信又は受信信号経路を通じた増幅は、ＲＦ回路５０６のみにおいて、ＦＥＭ５０８のみにおいて、又はＲＦ回路５０６及びＦＥＭ５０８の両方において行われてもよい。
【０１１３】
いくつかの実施形態では、ＦＥＭ回路５０８は、送信モードと受信モード動作との間で切り替えるためのＴＸ／ＲＸスイッチを含んでもよい。ＦＥＭ回路５０８は、受信信号経路及び送信信号経路を含み得る。ＦＥＭ回路５０８の受信信号経路は、受信されたＲＦ信号を増幅し、増幅された受信ＲＦ信号を出力として（例えば、ＲＦ回路５０６に）提供するためのＬＮＡ（low noise amplifier）を含んでもよい。ＦＥＭ回路５０８の送信信号経路は、（例えば、ＲＦ回路５０６によって提供される）入力ＲＦ信号を増幅するための電力増幅器（ＰＡ）と、（例えば、１つ以上のアンテナ５１０のうちの１つ以上による）後続する送信のためにＲＦ信号を生成するための１つ以上のフィルタとを含むことができる。
【０１１４】
いくつかの実施形態では、ＰＭＣ５１２は、ベースバンド回路５０４に提供される電力を管理することができる。具体的には、ＰＭＣ５１２は、電源選択、電圧スケーリング、バッテリ充電、又はＤＣ−ＤＣ変換を制御することができる。例えば、デバイスがＵＥに含まれている場合、デバイス５００がバッテリによって給電可能であるとき、例えば、このデバイスがＵＥに含まれている場合に、多くの場合、ＰＭＣ５１２が含まれてもよい。ＰＭＣ５１２は、望ましい実装サイズ及び放熱特性を付与しながら、電力変換効率を高めることができる。
【０１１５】
図５は、ベースバンド回路５０４のみと連結されたＰＭＣ５１２を示す。しかし、他の実施形態では、ＰＭＣ５１２は、限定されることなく、アプリケーション回路５０２、ＲＦ回路５０６又はＦＥＭ５０８などの他の構成要素と追加的に、又は代替的に連結され、同様の電力管理動作を実行することができる。
【０１１６】
いくつかの実施形態では、ＰＭＣ５１２は、デバイス５００の様々な省電力機構を制御するか、又はさもなければその一部であることができる。例えば、デバイス５００がＲＲＣ接続状態にあって、トラフィックを間もなく受信することが予期されるのでＲＡＮノードに依然として接続されている場合、ある非アクティブ期間後、デバイスは間欠受信モード（ＤＲＸ）として知られる状態に入ることができる。この状態の間は、デバイス５００は、短い間隔で電力を落とし、それによって節電することができる。
【０１１７】
長期間データトラフィックアクティビティがない場合、デバイス５００は、ＲＲＣアイドル状態に遷移することができ、この場合、デバイスは、ネットワークの接続を切り、チャネル品質のフィードバック、ハンドオーバーなどの動作を実行しない。デバイス５００は、非常に低い電力状態になり、ページングを実行し、再び周期的にウェイクアップしてネットワークをリッスンし、次いで再び電源を切る。デバイス５００は、この状態でデータを受信することはできず、データを受信するためには、ＲＲＣ接続状態に戻る遷移を行わなければならない。
【０１１８】
追加的な省電力モードにより、ページング間隔より長期間（秒から数時間に及ぶ）、デバイスがネットワークを利用不可にすることを可能にしてもよい。この間、デバイスは、ネットワークに全く接続できず、完全に電力を落とすことができる。この間に送信されるどんなデータも、大きな遅延をもたらし、遅延は許容可能と想定する。
【０１１９】
アプリケーション回路５０２のプロセッサ及びベースバンド回路５０４のプロセッサを使用して、プロトコルスタックの１つ以上のインスタンスの要素を実行することができる。例えば、ベースバンド回路５０４のプロセッサを単独で又は組み合わせて使用し、レイヤ３、レイヤ２、又はレイヤ１の機能を実行することができ、その間、アプリケーション回路５０２のプロセッサは、これらのレイヤから受信したデータ（例えば、パケットデータ）を利用して、更に、レイヤ４の機能（例えば、伝送通信プロトコル（ＴＣＰ）レイヤ及びユーザデータグラムプロトコル（ＵＤＰ）レイヤ）を更に実行することができる。本明細書で言及するように、レイヤ３は、以下に更に詳細に記載する無線リソース制御（ＲＲＣ）レイヤを含んでもよい。本明細書で言及するように、レイヤ２は、以下に更に詳細に記載する、メディアアクセス制御（ＭＡＣ）レイヤ、無線リンク制御（ＲＬＣ）レイヤ、及びパケットデータ収束プロトコル（ＰＤＣＰ）レイヤを含み得る。本明細書で言及するように、レイヤ１は、以下に更に詳細に記載する、ＵＥ／ＲＡＮノードの物理（ＰＨＹ）レイヤを含み得る。
【０１２０】
図６は、いくつかの実施形態によるベースバンド回路の例示的なインターフェースを示す。上記に議論したように、図５のベースバンド回路５０４は、プロセッサ５０４Ａ〜５０４Ｅと、そのプロセッサによって利用されるメモリ５０４Ｇと、を含み得る。プロセッサ５０４Ａ〜５０４Ｅのそれぞれは、メモリ５０４Ｇに／そこからデータを送信／受信するために、メモリインターフェース６０４Ａ〜６０４Ｅをそれぞれ含み得る。
【０１２１】
ベースバンド回路５０４は、他の回路／デバイスに通信可能に連結するための１つ以上のインターフェースを更に含むことができ、それは、メモリインターフェース６１２（例えば、ベースバンド回路５０４の外部のメモリに／からデータを送信／受信するインターフェース）、アプリケーション回路インターフェース６１４（例えば、図５のアプリケーション回路５０２に／からデータを送信／受信するためのインターフェース）、ＲＦ回路インターフェース６１６（例えば、図５のＲＦ回路５０６に／からデータを送信／受信するインターフェース）、ワイヤレスハードウェア接続インターフェース６１８（例えば、近距離無線通信（ＮＦＣ）構成要素、Ｂｌｕｅｔｏｏｔｈ（登録商標）構成要素（例えば、Ｂｌｕｅｔｏｏｔｈ（登録商標）Ｌｏｗ  Ｅｎｅｒｇｙ）、Ｗｉ−Ｆｉ（登録商標）構成要素、及び他の通信構成要素に／からデータを送信／受信するインターフェース）、及び、電力管理インターフェース６２０（例えば、ＰＭＣ５１２に／から電力又は制御信号を送信／受信するためのインターフェース）などである。
【０１２２】
図７は、いくつかの例示的実施形態に係る、機械可読媒体又はコンピュータ可読媒体（例えば、非一時的機械可読記憶媒体）から命令を読み取り、本明細書で論じる方法論のうちのいずれか１つ以上を実行することができる構成要素を示すブロック図である。具体的には、図７は、１つ以上のプロセッサ（又はプロセッサコア）７１０、１つ以上のメモリ／記憶装置７２０及び１つ以上の通信リソース７３０を含み、それぞれが、バス７４０を介して通信可能に結合され得るハードウェアリソース７００の図式表現を示す。ノード仮想化（例えば、ＮＦＶ）が利用される実施形態では、ハイパーバイザ７０２が、ハードウェアリソース７００を利用するための１つ以上のネットワークスライス／サブスライスの実行環境を提供するために実行されてもよい。
【０１２３】
プロセッサ７１０（例えば、中央処理装置（ＣＰＵ）、縮小命令セットコンピューティング（ＲＩＳＣ）プロセッサ、複合命令セットコンピューティング（ＣＩＳＣ）プロセッサ、グラフィック処理ユニット（ＧＰＵ）、デジタル信号プロセッサ（ＤＳＰ）、例えばベースバンドプロセッサ、特定用途向け集積回路（ＡＳＩＣ）、高周波集積回路（ＲＦＩＣ）、別のプロセッサ、又はこれらの任意の好適な組み合わせ）は、例えば、プロセッサ７１２及びプロセッサ７１４を含み得る。
【０１２４】
メモリ／記憶デバイス７２０は、メインメモリ、ディスク記憶装置、又はこれらの任意の好適な組み合わせを含んでもよい。メモリ／記憶デバイス７２０としては、ダイナミックランダムアクセスメモリ（ＤＲＡＭ）、スタティックランダムアクセスメモリ（ＳＲＡＭ）、消去可能プログラマブル読み出し専用メモリ（ＥＰＲＯＭ）、電気的消去可能プログラム可能読み出し専用メモリ（ＥＥＰＲＯＭ）、フラッシュメモリ、ソリッドステートストレージなどの任意の種類の揮発性又は不揮発性メモリを含んでもよいが、これらに限定されない。
【０１２５】
通信リソース７３０は、ネットワーク７０８を介して１つ以上の周辺デバイス７０４又は１つ以上のデータベース７０６と通信するための相互接続若しくはネットワークインターフェース構成要素又は他の好適なデバイスを含み得る。例えば、通信リソース７３０は、（例えば、ユニバーサルシリアルバス（ＵＳＢ）を介した結合のための）有線通信構成要素、セルラー通信構成要素、ＮＦＣ構成要素、Ｂｌｕｅｔｏｏｔｈ（登録商標）構成要素（例えば、Ｂｌｕｅｔｏｏｔｈ（登録商標）Ｌｏｗ  Ｅｎｅｒｇｙ）、Ｗｉ−Ｆｉ（登録商標）構成要素、及び他の通信構成要素を含み得る。
【０１２６】
命令７５０は、プロセッサ７１０の少なくともいずれかに、本明細書で論じる方法論のうちの任意の１つ以上を実行させるための、ソフトウェア、プログラム、アプリケーション、アプレット、アプリ、又は他の実行可能コードを含んでもよい。命令７５０は、完全に又は部分的に、プロセッサ７１０（例えば、プロセッサのキャッシュメモリ内に）、メモリ／記憶デバイス７２０、又はそれらの任意の好適な組み合わせのうちの少なくとも１つの中に存在してもよい。更に、命令７５０の任意の部分は、周辺デバイス７０４又はデータベース７０６の任意の組み合わせからハードウェアリソース７００に転送されてもよい。したがって、プロセッサ７１０のメモリ、メモリ／記憶デバイス７２０、周辺デバイス７０４、及びデータベース７０６は、コンピュータ可読媒体及び機械可読媒体の例である。
【０１２７】
様々な実施形態では、図４〜図７のデバイス／構成要素、特に図６のベースバンド回路は、図１〜図３に示す動作フロー／アルゴリズム構造のいずれかを全体的に又は部分的に実施するために使用されてもよい。
【０１２８】
［ＴＯ  ＤＯ］いくつかの実施形態に係る、ユーザ機器（ＵＥ）によって実行され得る動作フロー／アルゴリズム構造の一例を図１に示す。この実施例では、動作フロー／アルゴリズム構造１００は、１０５において、メモリから、無線リンクモニタリング参照信号（ＲＬＭ−ＲＳ）リソースの構成情報をメモリから取得することを含み得る。動作フロー／アルゴリズム構造１００は、１１０において、構成情報に基づいて、ＲＬＭ−ＲＳリソースが、２つ以上の制御リソースセット（ＣＯＲＥＳＥＴ）を有する疑似コロケーション（ＱＣＬ）タイプＤのために構成されていることを判定することを更に含んでもよい。動作フロー／アルゴリズム構造１００は、１１５において、ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定することを更に含んでもよい。
【０１２９】
動作フロー／アルゴリズム構造の別の例が図２に示されており、この図は、いくつかの実施形態に係るＵＥによって実行され得る。この実施例では、動作フロー／アルゴリズム構造２００は、２０５において、無線リンクモニタリング参照信号（ＲＬＭ−ＲＳ）リソースが、２つ以上の制御リソースセット（ＣＯＲＥＳＥＴ）を有する疑似コロケーション（ＱＣＬ）タイプＤのために構成されていると判定することを含み得る。動作フロー／アルゴリズム構造２００は、２１０において、ＲＬＭ−ＲＳリソースが２つ以上のＣＯＲＥＳＥＴを有するＱＣＬタイプＤに構成されていることに基づいて、無線リンクモニタリング（ＲＬＭ）の物理下りリンク制御チャネル（ＰＤＣＣＨ）パラメータを決定することを更に含んでもよい。動作フロー／アルゴリズム構造２００は、２１５において、決定されたＰＤＣＣＨパラメータに基づいてＲＬＭを実行することを更に含んでもよい。
【０１３０】
動作フロー／アルゴリズム構造の別の例が図３に示されており、この図は、いくつかの実施形態にしたがってＵＥによって実行され得る。この実施例では、動作フロー／アルゴリズム構造３００は、３０５において、ＲＬＭ−ＲＳリソースに関連付けられた情報に基づいて、ＲＬＭ−ＲＳリソースが、２つ以上の制御リソースセット（ＣＯＲＥＳＥＴ）を有する疑似コロケーション（ＱＣＬ）タイプＤのために構成されていることを判定することを含んでもよい。動作フロー／アルゴリズム構造３００は、３１０において、ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定することを更に含んでもよい。
【０１３１】
実施例
いくつかの非限定的な実施例が以下に提供される。
【０１３２】
実施例１は、装置であって、無線リンクモニタリング参照信号（ＲＬＭ−ＲＳ）リソースの構成情報を記憶するメモリと、メモリに結合された処理回路であって、構成情報をメモリから取得し、構成情報に基づいて、ＲＬＭ−ＲＳリソースが、２つ以上の制御リソースセット（ＣＯＲＥＳＥＴ）を有する疑似コロケーション（ＱＣＬ）タイプＤのために構成されていると判定し、ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定する処理回路と、を備える装置を含む。
【０１３３】
実施例２は、装置であって、ＰＤＣＣＨパラメータは、単一のＣＯＲＥＳＥＴに基づいて決定され、単一のＣＯＲＥＳＥＴは、ＰＤＣＣＨモニタリングのために装置によって使用される唯一のＣＯＲＥＳＥＴである、実施例１又は本明細書の他の実施例に記載の装置を含む。
【０１３４】
実施例３は、装置であって、ＰＤＣＣＨパラメータは、ＰＤＣＣＨモニタリングのために装置によって使用される複数のＣＯＲＥＳＥＴの中で最も低いインデックスを有するＣＯＲＥＳＥＴに基づいて決定される、実施例１又は本明細書の他の実施例に記載の装置を含む。
【０１３５】
実施例４は、装置であって、ＰＤＣＣＨパラメータは、ＰＤＣＣＨモニタリングのために装置によって使用される複数のＣＯＲＥＳＥＴの中で最も高いインデックスを有するＣＯＲＥＳＥＴに基づいて決定される、実施例１又は本明細書の他の実施例に記載の装置を含む。
【０１３６】
実施例５は、装置であって、ＰＤＤＣＨパラメータは、ＰＤＣＣＨモニタリングのために装置によって使用される複数のＣＯＲＥＳＥＴの中で最小の仮想ＰＤＣＣＨブロック誤り率（ＢＬＥＲ）を有するＣＯＲＥＳＥＴに基づいて決定される、実施例１又は本明細書の他の実施例に記載の装置を含む。
【０１３７】
実施例６は、装置であって、ＰＤＤＣＨパラメータは、ＰＤＣＣＨモニタリングのために装置によって使用される複数のＣＯＲＥＳＥＴの中で最大の仮想ＤＣＣＨブロック誤り率（ＢＬＥＲ）を有するＣＯＲＥＳＥＴに基づいて決定される、実施例１又は本明細書の他の実施例に記載の装置を含む。
【０１３８】
実施例７は、装置であって、処理回路は、判定されたＰＤＣＣＨパラメータに基づいてＲＬＭを更に実行しようとする、実施例１〜６又は本明細書の他の実施例のいずれか１つに記載の装置を含む。
【０１３９】
実施例８は、ユーザ機器（ＵＥ）又はその一部分である、実施例１〜６又は本明細書の他の実施例のいずれか１つに記載の装置を含む。
【０１４０】
実施例９は、命令を格納した１つ以上のコンピュータ可読媒体であって、命令は、１つ以上のプロセッサによって実行されると、ユーザ機器（ＵＥ）に、無線リンクモニタリング参照信号（ＲＬＭ−ＲＳ）リソースが、２つ以上の制御リソースセット（ＣＯＲＥＳＥＴ）を有する疑似コロケーション（ＱＣＬ）タイプＤのために構成されていると判定させ、ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定させ、決定されたＰＤＣＣＨパラメータに基づいてＲＬＭを実行させる、１つ以上のコンピュータ可読媒体を含む。
【０１４１】
実施例１０は、コンピュータ可読媒体であって、ＰＤＣＣＨパラメータは、単一のＣＯＲＥＳＥＴに基づいて決定され、単一のＣＯＲＥＳＥＴは、ＰＤＣＣＨモニタリングのために装置によって使用される唯一のＣＯＲＥＳＥＴである、実施例８又は本明細書の他の実施例に記載の１つ以上のコンピュータ可読媒体を含む。
【０１４２】
実施例１１は、コンピュータ可読媒体であって、ＰＤＣＣＨパラメータは、ＰＤＣＣＨモニタリングのために装置によって使用される複数のＣＯＲＥＳＥＴの中で最も低いインデックスを有するＣＯＲＥＳＥＴに基づいて決定される、実施例８又は本明細書のいくつかの他の実施例に記載の１つ以上のコンピュータ可読媒体を含む。
【０１４３】
実施例１２は、コンピュータ可読媒体であって、ＰＤＣＣＨパラメータは、ＰＤＣＣＨモニタリングのために装置によって使用される複数のＣＯＲＥＳＥＴの中で最も高いインデックスを有するＣＯＲＥＳＥＴに基づいて決定される、実施例８又は本明細書の他の実施例に記載の１つ以上のコンピュータ可読媒体を含む。
【０１４４】
実施例１３は、コンピュータ可読媒体であって、ＰＤＤＣＨパラメータは、ＰＤＣＣＨモニタリングのために装置によって使用される複数のＣＯＲＥＳＥＴの中で最小の仮想ＰＤＣＣＨブロック誤り率（ＢＬＥＲ）を有するＣＯＲＥＳＥＴに基づいて決定される、実施例８又は本明細書の他の実施例に記載の１つ以上のコンピュータ可読媒体を含む。
【０１４５】
実施例１４は、コンピュータ可読媒体であって、ＰＤＤＣＨパラメータは、ＰＤＣＣＨモニタリングのために装置によって使用される複数のＣＯＲＥＳＥＴの中で最大の仮想ＰＤＣＣＨブロック誤り率（ＢＬＥＲ）を有するＣＯＲＥＳＥＴに基づいて決定される、実施例８又は本明細書の他の実施例に記載の１つ以上のコンピュータ可読媒体を含む。
【０１４６】
実施例１５は、装置であって、無線リンクモニタリング参照信号（ＲＬＭ−ＲＳ）リソースに関連付けられた情報を記憶するためのメモリと、メモリに結合された処理回路であって、ＲＬＭ−ＲＳリソースに関連付けられた情報に基づいて、ＲＬＭ−ＲＳリソースが、２つ以上の制御リソースセット（ＣＯＲＥＳＥＴ）を有する疑似コロケーション（ＱＣＬ）タイプＤのために構成されていると判定し、ＲＬＭ−ＲＳリソースが２つ以上のＣＯＲＥＳＥＴを有するＱＣＬタイプＤのために構成されていることに基づいて、無線リンクモニタリング（ＲＬＭ）の物理下りリンク制御チャネル（ＰＤＣＣＨ）パラメータを決定する、処理回路と、を備えるユーザ機器（ＵＥ）の装置を含む。
【０１４７】
実施例１６は、装置であって、ＰＤＣＣＨパラメータは、単一のＣＯＲＥＳＥＴに基づいて決定され、単一のＣＯＲＥＳＥＴは、ＰＤＣＣＨモニタリングのために装置によって使用される唯一のＣＯＲＥＳＥＴである、実施例１５又は本明細書の他の実施例に記載の装置を含む。
【０１４８】
実施例１７は、装置であって、ＰＤＣＣＨパラメータは、ＰＤＣＣＨモニタリングのために装置によって使用される複数のＣＯＲＥＳＥＴの中で最も低いインデックスを有するＣＯＲＥＳＥＴに基づいて決定される、実施例１５又は本明細書の他の実施例に記載の装置を含む。
【０１４９】
実施例１８は、装置であって、ＰＤＣＣＨパラメータは、ＰＤＣＣＨモニタリングのために装置によって使用される複数のＣＯＲＥＳＥＴの中で最も高いインデックスを有するＣＯＲＥＳＥＴに基づいて決定される、実施例１５又は本明細書の他の実施例に記載の装置を含む。
【０１５０】
実施例１９は、装置であって、ＰＤＤＣＨパラメータは、ＰＤＣＣＨモニタリングのために装置によって使用される複数のＣＯＲＥＳＥＴの中で最小の仮想ＰＤＣＣＨブロック誤り率（ＢＬＥＲ）を有するＣＯＲＥＳＥＴに基づいて決定される、実施例１５又は本明細書の他の実施例に記載の装置を含む。
【０１５１】
実施例２０は、装置であって、ＰＤＤＣＨパラメータは、ＰＤＣＣＨモニタリングのために装置によって使用される複数のＣＯＲＥＳＥＴの中で最大の仮想ＰＤＣＣＨブロック誤り率（ＢＬＥＲ）を有するＣＯＲＥＳＥＴに基づいて決定される、実施例１５又は本明細書の他の実施例に記載の装置を含む。
【０１５２】
実施例２１は、実施例１〜２０、又は本明細書に記載される任意の他の方法若しくはプロセスに記載又は関連する方法の１つ以上の要素を実行する手段を備える装置を含んでもよい。
【０１５３】
実施例２２は、命令を含む１つ以上の非一時的コンピュータ可読媒体であって、電子デバイスの１つ以上のプロセッサによって命令が実行されると、命令は電子デバイスに、実施例１〜２０に記載された方法、又は本明細書に記載の任意の他の方法若しくはプロセス、の１つ以上の要素を実行させる、１つ以上の非一時的コンピュータ可読媒体を含んでもよい。
【０１５４】
実施例２３は、装置であって、実施例１〜２０のいずれかに記載又は関連する方法、又は本明細書に記載される任意の他の方法若しくはプロセスの１つ以上の要素を実行するためのロジック、モジュール、及び／又は回路を備える装置を含んでもよい。
【０１５５】
実施例２４は、実施例１〜２０のいずれか、又はその部分若しくは一部に記載又は関連する方法、技法、又はプロセスを含んでもよい。
【０１５６】
実施例２５は、１つ以上のプロセッサと、命令を含む１つ以上のコンピュータ可読媒体と、を備える装置であって、命令は、１つ以上のプロセッサによって実行されると、１つ以上のプロセッサに、実施例１〜２０のいずれか、又はそれらの部分に記載される、又はそれらに関連する方法、技法、又はプロセスを実行させる装置を含んでもよい。
【０１５７】
実施例２６は、本明細書に図示され説明されるように無線ネットワーク内で通信する方法を含んでもよい。
【０１５８】
実施例２７は、本明細書に図示され説明されるような無線通信を提供するためのシステムを含んでもよい。
【０１５９】
実施例２８は、本明細書に図示され説明されるような無線通信を提供するためのデバイスを含んでもよい。
【０１６０】
要約書に記載されているものを含む、例示された実施態様の説明は、網羅的であることを意図するものではなく、開示される正確な形態に本開示を限定することを意図するものではない。具体的な実装形態及び実施例は、例示目的のために本明細書に記載されているが、本開示の範囲から逸脱することなく、上記詳細な説明に照らして、同じ目的を実現するように計算された様々な代替的又は同等の実施形態又は実装形態を作製することができる。
【図１】
2022502973.tif 000025
【図２】
2022502973.tif 000026
【図３】
2022502973.tif 000027
【図４】
2022502973.tif 000028
【図５】
2022502973.tif 000029
【図６】
2022502973.tif 000030
【図７】
2022502973.tif 000031
【国際調査報告】
2022502973.tif 000032
2022502973.tif 000033